(57)【要約】【課題】貨幣収納装置の施錠手段が適正な方法により開錠されたとしても、遊技場における係員の正常な貨幣回収作業のパターンとは異なる疑わしい行動パターンを監視することにより盗難行為の疑いの有無の判断を行なうことのできる貨幣収納システムを提供する。【解決手段】遊技場内の複数の遊技機設置島の各々に設けられている島金庫と管理装置とを回線接続し、島金庫により開錠しようとしている担当者の本人認証を行なって認証結果成功の場合にその旨を示す情報を管理装置へ送信し、管理装置では、同一エリア内において既に開錠されている島金庫が存在する状態でさらに他の島金庫からの認証成功通知を受信すれば、Ｓ４３によりＹＥＳの判断を行なって異常である旨の判断を行ない、Ｓ４９の異常報知を行なう。【選択図】図１８
2008099967.tif 000002
【特許請求の範囲】
【請求項１】
遊技場内の複数箇所に設けられ、遊技のために遊技者により供された貨幣を収納する収納手段と、該収納手段に収納される貨幣の取出しを規制するための施錠手段とを備える貨幣収納装置と、
複数の前記貨幣収納装置と通信可能であり、前記貨幣収納装置の各々に備えられた複数の前記施錠手段を管理する施錠管理装置と、
を含む貨幣収納システムであって、
前記施錠管理装置は、
前記複数の貨幣収納装置との通信結果に基づいて、前記複数の貨幣収納装置の施錠手段の同時期の開錠を監視する同時期開錠監視手段と、
該同時期開錠監視手段による監視結果を報知する報知手段とを含むことを特徴とする、貨幣収納システム。
【請求項２】
遊技場内の複数箇所に設けられ、遊技のために遊技者により供された貨幣を収納する収納手段と、該収納手段に収納される貨幣の取出しを規制するための施錠手段とを備える貨幣収納装置と、
複数の前記貨幣収納装置と通信可能であり、前記貨幣収納装置の各々に備えられた複数の前記施錠手段を管理する施錠管理装置と、
を含む貨幣収納システムであって、
前記施錠管理装置は、
前記複数の貨幣収納装置との通信結果に基づいて、前記複数の貨幣収納装置の施錠手段の１つが開錠されてから所定時間内における次の施錠手段の開錠を監視する開錠間隔監視手段と、
該開錠間隔監視手段による監視結果を報知する報知手段とを含むことを特徴とする、貨幣収納システム。
【請求項３】
遊技場内の複数箇所に設けられ、遊技のために遊技者により供された貨幣を収納する収納手段と、該収納手段に収納される貨幣の取出しを規制するための施錠手段とを備える貨幣収納装置と、
複数の前記貨幣収納装置と通信可能であり、前記貨幣収納装置の各々に備えられた複数の前記施錠手段を管理する施錠管理装置と、
を含む貨幣収納システムであって、
前記施錠管理装置は、
前記複数の貨幣収納装置各々の開錠順序を設定するための開錠順序設定手段と、
前記複数の貨幣収納装置との通信結果に基づいて、前記複数の貨幣収納装置の施錠手段の開錠順序が前記開錠順序設定手段により設定された開錠順序であることを監視する開錠順序監視手段と、
該開錠順序監視手段による監視結果を報知する報知手段とを含むことを特徴とする、貨幣収納システム。
【請求項４】
遊技場内の複数箇所に設けられ、遊技のために遊技者により供された貨幣を収納する収納手段と、該収納手段に収納される貨幣の取出しを規制するための施錠手段とを備える貨幣収納装置と、
複数の前記貨幣収納装置と通信可能であり、前記貨幣収納装置の各々に備えられた複数の前記施錠手段を管理する施錠管理装置と、
を含む貨幣収納システムであって、
前記施錠管理装置は、
前記複数の貨幣収納装置各々に対して、同時期に開錠を許可するか否かの設定を行なうための開錠許可条件設定手段と、
前記複数の貨幣収納装置との通信結果に基づいて、前記開錠許可条件設定手段で許可設定された貨幣収納装置の施錠手段以外の施錠手段の同時期の開錠を監視する不許可同時期開錠監視手段と、
該不許可同時期開錠監視手段による監視結果を報知する報知手段とを含むことを特徴とする、貨幣収納システム。
【請求項５】
遊技場内の複数箇所に設けられ、遊技のために遊技者により供された貨幣を収納する収納手段と、該収納手段に収納される貨幣の取出しを規制するための施錠手段とを備える貨幣収納装置と、
複数の前記貨幣収納装置と通信可能であり、前記貨幣収納装置の各々に備えられた複数の前記施錠手段を管理する施錠管理装置と、
を含む貨幣収納システムであって、
前記施錠管理装置は、
前記貨幣収納装置の施錠手段を開錠する権限を与えられた各人の個人認証データを登録する個人認証データ登録手段と、
該個人認証データ登録手段により登録された前記個人認証データを前記貨幣収納装置に送信する個人認証データ送信手段とを備え、
前記貨幣収納装置は、
前記個人認証データ送信手段により送信されてきた前記個人認証データを記憶する個人認証データ記憶手段と、
認証対象者の個人認証データの入力を受付ける個人認証データ受付手段と、
該個人認証データ受付手段により受付けた前記個人認証データを前記個人認証データ記憶手段に記憶されている前記個人認証データと照合して本人認証を行なう照合手段とを備え、
前記施錠管理装置は、さらに、
開錠対象の貨幣収納装置を指定し、該指定した前記貨幣収納装置に対して、開錠を行なう人の個人認証データを有効化するための処理を行なう有効化処理手段と、
該有効化処理手段の処理の結果有効化された前記貨幣収納装置の個人認証データを無効化するための処理を行なう無効化処理手段とを備え、
前記貨幣収納装置は、さらに、前記個人認証データ記憶手段に記憶されている前記個人認証データを、前記有効化処理手段の処理に従って有効化するとともに前記無効化処理手段の処理に従って無効化し、
前記照合手段は、前記個人認証データ記憶手段に記憶されている前記個人認証データのうち、有効化されている前記個人認証データと前記個人認証データ受付手段により受付けた前記個人認証データとの照合を行なうことを特徴とする、貨幣収納システム。
【請求項６】
遊技場内の複数箇所に設けられ、遊技のために遊技者により供された貨幣を収納する収納手段と、該収納手段に収納される貨幣の取出しを規制するための施錠手段とを備える貨幣収納装置と、
複数の前記貨幣収納装置と通信可能であり、前記貨幣収納装置の各々に備えられた前記施錠手段に対する開錠要求に応じて開錠許可を行なうとともに、前記各々の施錠手段を管理する施錠管理装置と、
を含む貨幣収納システムであって、
前記施錠管理装置は、前記複数の貨幣収納装置の施錠手段うちの１つが開錠状態であるときに、他の貨幣収納装置の施錠手段に対する開錠許可を行なわない同時開錠禁止手段を備えていることを特徴とする、貨幣収納システム。
【請求項７】
遊技場内の複数箇所に設けられ、遊技のために遊技者により供された貨幣を収納する収納手段と、該収納手段に収納される貨幣の取出しを規制するための施錠手段とを備える貨幣収納装置と、
複数の前記貨幣収納装置と通信可能であり、前記貨幣収納装置の各々に備えられた複数の前記施錠手段を管理する施錠管理装置と、
を含む貨幣収納システムであって、
前記施錠管理装置は、
前記貨幣収納装置の施錠手段を開錠する権限を与えられた各人の個人認証データを登録する個人認証データ登録手段と、
該個人認証データ登録手段により登録された前記個人認証データを前記貨幣収納装置に送信する個人認証データ送信手段とを備え、
前記貨幣収納装置は、
前記個人認証データ送信手段により送信されてきた前記個人認証データを記憶する個人認証データ記憶手段と、
認証対象者の個人認証データの入力を受付ける個人認証データ受付手段と、
該個人認証データ受付手段により受付けた前記個人認証データを前記個人認証データ記憶手段に記憶されている前記個人認証データと照合して本人認証を行なう照合手段とを備え、
前記施錠管理装置は、さらに、開錠対象の貨幣収納装置を指定し、該指定した前記貨幣収納装置に対して、開錠を行なう人の個人認証データを有効化するための処理を行なう有効化処理手段を備え、
前記貨幣収納装置は、さらに、前記個人認証データ記憶手段に記憶されている前記個人認証データを、前記有効化処理手段の処理に従って有効化するとともに、該個人認証データを使用しての本人認証が行なわれた後当該個人認証データを無効化し、
前記照合手段は、前記個人認証データ記憶手段に記憶されている前記個人認証データのうち、有効化されている前記個人認証データと前記個人認証データ受付手段により受付けた前記個人認証データとの照合を行なうことを特徴とする、貨幣収納システム。
【発明の詳細な説明】
【技術分野】
【０００１】
本発明は、貨幣収納システムに関し、詳しくは、遊技場内の複数箇所に設けられ、遊技のために遊技者により供された貨幣を収納する収納手段と、該収納手段に収納される貨幣の取出しを規制するための施錠手段とを備える貨幣収納装置と、複数の前記貨幣収納装置と通信可能であり、前記貨幣収納装置の各々に備えられた複数の前記施錠手段を管理する施錠管理装置と、を含む貨幣収納システムに関する。
【背景技術】
【０００２】
この種の貨幣収納システムに関し、従来から一般的に知られているものに、たとえば、金庫のロック機構が正常に解除されたことが検出されたときは警報を不能動化する一方、ロック機構が解除されることなくカセット式の金庫が引出されると警報表示動作が行なわれるように構成されたものがあった（たとえば特許文献１）。
【特許文献１】特開２００４−２０９０９７号公報（段落００２９〜００３４参照）
【発明の開示】
【発明が解決しようとする課題】
【０００３】
この従来の貨幣収納システムにおいては、金庫のロック機構を解除することなく金庫が取出された場合には警報が発せられるが、その金庫のロック機構を解除できる鍵等が盗難されてその鍵によって正常にロック機構が解除された状態で金庫が取出されたときには、その行為が正常か不正かの判断ができず警報が発せられることがないという不都合があった。
【０００４】
すなわち、従来の貨幣収納システムにおいては、ロック機構が正常に解除されている限り金庫を取出す行為が正常か否かの判断を行なう術がなく、たとえ不正な金庫の取出し行為が行なわれたとしてもそれを不正行為と判断できないという欠点があった。
【０００５】
一方、遊技場内の複数個所に設けられた貨幣収納装置から貨幣を係員が回収する貨幣回収作業は、予め決められた作業手順に従って行なわれるのが一般的であり、遊技場の係員により正常に貨幣の回収が行なわれている場合には一定の作業パターンに従った回収作業となる。
【０００６】
本発明は、係る実情に鑑み考え出されたものであり、その目的は、貨幣収納装置の施錠手段が適正な方法により開錠されたとしても、遊技場における係員の正常な貨幣回収作業のパターンとは異なる疑わしい行動パターンを監視することにより、盗難行為の疑いの有無の判断を行なったり、または、盗難行為を行ないにくくすることのできる貨幣収納システムを提供することである。
【課題を解決するための手段の具体例およびその効果】
【０００７】
（１）  遊技場（たとえば、図１の遊技場４０００）内の複数箇所に設けられ、遊技のために遊技者により供された貨幣を収納する収納手段（たとえば、図３、図４の貨幣収納部３９０）と、該収納手段に収納される貨幣の取出しを規制するための施錠手段（たとえば、図３、図４の前面扉ＣＰ３１０を施錠、開錠する制御部３１０）とを備える貨幣収納装置（たとえば、島金庫３００）と、
複数の前記貨幣収納装置と通信可能であり、前記貨幣収納装置の各々に備えられた複数の前記施錠手段を管理する施錠管理装置（たとえば、管理装置５００）と、
を含む貨幣収納システムであって、
前記施錠管理装置は、
前記複数の貨幣収納装置との通信結果に基づいて、前記複数の貨幣収納装置の施錠手段の同時期の開錠を監視する同時期開錠監視手段（たとえば、図１８のＳ４３）と、
該同時期開錠監視手段による監視結果を報知する報知手段（たとえば、図１８のＳ４９）とを含むことを特徴とする。
【０００８】
このような構成によれば、複数の貨幣収納装置の施錠手段の同時期の開錠という、遊技場の係員による適正な貨幣回収作業のパターンから逸脱した疑わしい行為が監視されてその監視結果が報知され、そのような盗難行為の疑いのある事態の発生を極力見逃さない貨幣収納システムを提供することができる。
【０００９】
（２）  遊技場（たとえば、図１の遊技場４０００）内の複数箇所に設けられ、遊技のために遊技者により供された貨幣を収納する収納手段（たとえば、図３、図４の貨幣収納部３９０）と、該収納手段に収納される貨幣の取出しを規制するための施錠手段（たとえば、図３、図４の前面扉ＣＰ３１０を施錠、開錠する制御部３１０）とを備える貨幣収納装置（たとえば、島金庫３００）と、
複数の前記貨幣収納装置と通信可能であり、前記貨幣収納装置の各々に備えられた複数の前記施錠手段を管理する施錠管理装置（たとえば、管理装置５００）と、
を含む貨幣収納システムであって、
前記施錠管理装置は、
前記複数の貨幣収納装置との通信結果に基づいて、前記複数の貨幣収納装置の施錠手段の１つが開錠されてから所定時間内における次の施錠手段の開錠を監視する開錠間隔監視手段（たとえば、図１８のＳ４８）と、
該開錠間隔監視手段による監視結果を報知する報知手段（たとえば、図１８のＳ４９）とを含むことを特徴とする。
【００１０】
このような構成によれば、複数の貨幣収納装置の施錠手段の１つが開錠されてから所定時間内における次の施錠手段の開錠が監視されて報知されるために、遊技場の係員による適正な貨幣の回収作業に伴った複数の施錠手段の開錠の間隔に比べて早過ぎる間隔で施錠手段が順次開錠されるという、盗難行為の疑いのある事態の発生を極力見逃すことのない貨幣収納システムを提供することができる。
【００１１】
（３）  遊技場（たとえば、図１の遊技場４０００）内の複数箇所に設けられ、遊技のために遊技者により供された貨幣を収納する収納手段（たとえば、図３、図４の貨幣収納部３９０）と、該収納手段に収納される貨幣の取出しを規制するための施錠手段とを備える貨幣収納装置（たとえば、図３、図４の前面扉ＣＰ３１０を施錠、開錠する制御部３１０）と、
複数の前記貨幣収納装置と通信可能であり、前記貨幣収納装置の各々に備えられた複数の前記施錠手段を管理する施錠管理装置（たとえば、管理装置５００）と、
を含む貨幣収納システムであって、
前記施錠管理装置は、
前記複数の貨幣収納装置各々の開錠順序を設定するための開錠順序設定手段（たとえば、図１２のＳ９０３、Ｓ９０４）と、
前記複数の貨幣収納装置との通信結果に基づいて、前記複数の貨幣収納装置の施錠手段の開錠順序が前記開錠順序設定手段により設定された開錠順序であることを監視する開錠順序監視手段（たとえば、図１８のＳ４４、Ｓ４５）と、
該開錠順序監視手段による監視結果を報知する報知手段（たとえば、図１８のＳ４９）とを含むことを特徴とする。
【００１２】
このような構成によれば、複数の貨幣収納装置の施錠手段の開錠順序が開錠順序設定手段により設定された開錠順序であることが監視されて報知されるために、遊技場の係員による適正な貨幣の回収作業に伴う開錠順序とは異なった開錠順序で開錠されるという、盗難行為の疑いのある事態の発生を極力見逃すことのない貨幣収納システムを提供することができる。
【００１３】
（４）  遊技場（たとえば、図１の遊技場４０００）内の複数箇所に設けられ、遊技のために遊技者により供された貨幣を収納する収納手段（たとえば、図３、図４の貨幣収納部３９０）と、該収納手段に収納される貨幣の取出しを規制するための施錠手段とを備える貨幣収納装置（たとえば、島金庫３００）と、
複数の前記貨幣収納装置と通信可能であり、前記貨幣収納装置の各々に備えられた複数の前記施錠手段を管理する施錠管理装置（たとえば、管理装置５００）と、
を含む貨幣収納システムであって、
前記施錠管理装置は、
前記複数の貨幣収納装置各々に対して、同時期に開錠を許可するか否かの設定を行なうための開錠許可条件設定手段（たとえば、図１２のＳ９００〜Ｓ９０２、Ｓ９０６、Ｓ９０７）と、
前記複数の貨幣収納装置との通信結果に基づいて、前記開錠許可条件設定手段で許可設定された貨幣収納装置の施錠手段以外の施錠手段の同時期の開錠を監視する不許可同時期開錠監視手段（たとえば、図１８のＳ４３）と、
該不許可同時期開錠監視手段による監視結果を報知する報知手段（たとえば、図１８のＳ４９）とを含むことを特徴とする。
【００１４】
このような構成によれば、複数の貨幣収納装置各々に対して同時期に開錠を許可するか否かの設定が開錠許可条件設定手段により行なわれ、その開錠許可条件設定手段で許可設定された貨幣収納装置の施錠手段以外の施錠手段の同時期の開錠という、盗難行為の疑いのある事態の発生を監視してその監視結果が報知されるために、盗難行為の疑いのある事態の発生を極力見逃すことのない貨幣収納システムを提供することができる。しかも、たとえば、貨幣の回収作業の担当エリアを複数のエリアに区分けし、それぞれのエリアを各係員が一人ずつ担当して貨幣回収作業を行なう等の場合には、異なった担当エリアに属する貨幣収納装置の施錠手段同士では、同時期の開錠が行なわれる可能性があるが、そのような同時期の開錠の可能性のある貨幣収納装置各々に対して同時期の開錠の許可設定を行なうことができ、複数の係員による適正な貨幣の回収作業に伴って発生する同時期の開錠を貨幣の盗難行為の疑いのある異常事態と誤判定する不都合をも極力解消することができる。
【００１５】
（５）  遊技場（たとえば、図１の遊技場４０００）内の複数箇所に設けられ、遊技のために遊技者により供された貨幣を収納する収納手段（たとえば、図３、図４の貨幣収納部３９０）と、該収納手段に収納される貨幣の取出しを規制するための施錠手段とを備える貨幣収納装置（たとえば、島金庫３００）と、
複数の前記貨幣収納装置と通信可能であり、前記貨幣収納装置の各々に備えられた複数の前記施錠手段を管理する施錠管理装置（たとえば、管理装置５００）と、
を含む貨幣収納システムであって、
前記施錠管理装置は、
前記貨幣収納装置の施錠手段を開錠する権限を与えられた各人の個人認証データを登録する個人認証データ登録手段（たとえば、図１４（ａ）の担当者データテーブル）と、
該個人認証データ登録手段により登録された前記個人認証データを前記貨幣収納装置に送信する個人認証データ送信手段（たとえば、図１３のＳ２１０〜Ｓ２２１）とを備え、
前記貨幣収納装置は、
前記個人認証データ送信手段により送信されてきた前記個人認証データを記憶する個人認証データ記憶手段（たとえば、図１６の指紋情報データテーブル）と、
認証対象者の個人認証データの入力を受付ける個人認証データ受付手段（たとえば、図３の指紋情報取得部３５０）と、
該個人認証データ受付手段により受付けた前記個人認証データを前記個人認証データ記憶手段に記憶されている前記個人認証データと照合して本人認証を行なう照合手段（たとえば、図１７のＳ２０〜Ｓ２３）とを備え、
前記施錠管理装置は、さらに、
開錠対象の貨幣収納装置を指定し、該指定した前記貨幣収納装置に対して、開錠を行なう人の個人認証データを有効化するための処理を行なう有効化処理手段（たとえば、図１５のＳ１〜Ｓ７）と、
該有効化処理手段の処理の結果有効化された前記貨幣収納装置の個人認証データを無効化するための処理を行なう無効化処理手段（たとえば、図１８のＳ５２）とを備え、
前記貨幣収納装置は、さらに、前記個人認証データ記憶手段に記憶されている前記個人認証データを、前記有効化処理手段の処理に従って有効化するとともに（たとえば、図１５のＳ９）前記無効化処理手段の処理に従って無効化し（たとえば、図１９のＳ６１）、
前記照合手段は、前記個人認証データ記憶手段に記憶されている前記個人認証データのうち、有効化されている前記個人認証データと前記個人認証データ受付手段により受付けた前記個人認証データとの照合を行なう（たとえば、図１７のＳ２２でＹＥＳのときだけＳ２３の照合処理を行なう）ことを特徴とする。
【００１６】
このような構成によれば、遊技場の係員が貨幣の回収作業を行なうに際して、当該係員の個人認証データを有効化した上で回収作業を開始し、回収作業が終了したときにその係員の個人認証データを無効化することにより、有効化された個人認証データがこれから適正に貨幣の回収作業を行なおうとする者のみに限定することができ、貨幣の盗難行為が非常に行ないにくい貨幣収納システムを提供することができる。
【００１７】
（６）  遊技場（たとえば、図１の遊技場４０００）内の複数箇所に設けられ、遊技のために遊技者により供された貨幣を収納する収納手段（たとえば、図３、図４の貨幣収納部３９０）と、該収納手段に収納される貨幣の取出しを規制するための施錠手段（たとえば、図３、図４の前面扉ＣＰ３１０を施錠、開錠する制御部３１０）とを備える貨幣収納装置（たとえば、島金庫３００）と、
複数の前記貨幣収納装置と通信可能であり、前記貨幣収納装置の各々に備えられた前記施錠手段に対する開錠要求に応じて開錠許可を行なうとともに、前記各々の施錠手段を管理する施錠管理装置（たとえば、管理装置５００）と、
を含む貨幣収納システムであって、
前記施錠管理装置は、前記複数の貨幣収納装置の施錠手段うちの１つが開錠状態であるときに、他の貨幣収納装置の施錠手段に対する開錠許可を行なわない同時開錠禁止手段（たとえば、図１８のＳ４３、図２０のＳ８６）を備えていることを特徴とする。
【００１８】
このような構成によれば、複数の貨幣収納装置の施錠手段のうちの１つが開錠状態であるときに他の貨幣収納装置の施錠手段に対する開錠許可が行なわれないために、複数の貨幣収納装置から急いで貨幣を盗難しようとする貨幣盗難者にとって盗難行為が行ないにくくなる貨幣収納システムを提供することができる。
【００１９】
（７）  遊技場（たとえば、図１の遊技場４０００）内の複数箇所に設けられ、遊技のために遊技者により供された貨幣を収納する収納手段（たとえば、図３、図４の貨幣収納部３９０）と、該収納手段に収納される貨幣の取出しを規制するための施錠手段（たとえば、図３、図４の前面扉ＣＰ３１０を施錠、開錠する制御部３１０）とを備える貨幣収納装置（たとえば、島金庫３００）と、
複数の前記貨幣収納装置と通信可能であり、前記貨幣収納装置の各々に備えられた複数の前記施錠手段を管理する施錠管理装置（たとえば、管理装置５００）と、
を含む貨幣収納システムであって、
前記施錠管理装置は、
前記貨幣収納装置の施錠手段を開錠する権限を与えられた各人の個人認証データを登録する個人認証データ登録手段（たとえば、図１４（ａ）の担当者データテーブル）と、
該個人認証データ登録手段により登録された前記個人認証データを前記貨幣収納装置に送信する個人認証データ送信手段（たとえば、図１３のＳ２１０〜Ｓ２２１）とを備え、
前記貨幣収納装置は、
前記個人認証データ送信手段により送信されてきた前記個人認証データを記憶する個人認証データ記憶手段（たとえば、図１６の指紋情報データテーブル）と、
認証対象者の個人認証データの入力を受付ける個人認証データ受付手段（たとえば、図３の指紋情報取得部３５０）と、
該個人認証データ受付手段により受付けた前記個人認証データを前記個人認証データ記憶手段に記憶されている前記個人認証データと照合して本人認証を行なう照合手段（たとえば、図１７のＳ２０〜Ｓ２３）とを備え、
前記施錠管理装置は、さらに、開錠対象の貨幣収納装置を指定し、該指定した前記貨幣収納装置に対して、開錠を行なう人の個人認証データを有効化するための処理を行なう有効化処理手段（たとえば、図１５のＳ１〜Ｓ７）を備え、
前記貨幣収納装置は、さらに、前記個人認証データ記憶手段に記憶されている前記個人認証データを、前記有効化処理手段の処理に従って有効化するとともに、該個人認証データを使用しての本人認証が行なわれた後当該個人認証データを無効化し（たとえば、図２１のＳ９１）、
前記照合手段は、前記個人認証データ記憶手段に記憶されている前記個人認証データのうち、有効化されている前記個人認証データと前記個人認証データ受付手段により受付けた前記個人認証データとの照合を行なう（たとえば、図１７のＳ２２でＹＥＳのときだけＳ２３の照合処理を行なう）ことを特徴とする。
【００２０】
このような構成によれば、遊技場の係員が貨幣の回収作業を行なうに際して、当該係員の個人認証データを有効化した上で回収作業を開始し、回収作業が終了したときにその係員の個人認証データを無効化することにより、有効化された個人認証データがこれから適正に貨幣の回収作業を行なおうとする者のみに限定することができ、貨幣の盗難行為が非常に行ないにくい貨幣収納システムを提供することができる。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
以下に説明する本発明のシステムにおける本人認証を行なう処理は、人間の生体情報を使用した認証（バイオメトリクス認証）の技術では一般的である本人拒否率および他人許容率に基づいて定められた値（以下、認証成功判定しきい値ともいう）に基づいて行なわれる。
【００２３】
ここで、認証成功判定しきい値は、本人認証が成功したか否かを判定するためのしきい値である。ここで、本人拒否率とは、本人を他人であると誤認する確率である。また、他人許容率とは、他人を本人であると誤認する確率である。
【００２４】
＜第１の実施の形態＞
（システムの構成）
図１は、本実施の形態における貨幣収納システム１００００の構成の一例を示す図である。貨幣収納システム１００００は、たとえば、遊技場４０００に用いられる。図１を参照して、管理事務所３０００には管理装置５００が設置される。管理装置５００は、ＰＣ（Personal Computer）である。なお、管理装置５００は、ＰＣに限定されることなく、通信機能を有する装置であれば、どのような装置であってもよい。
【００２５】
遊技場４０００には、後に詳述するが、複数の島金庫３００（図２参照）に収納された貨幣を複数の係員が手分けして回収するための担当エリアＡＲ１，ＡＲ２，・・・，ＡＲｎが定められている。
【００２６】
担当エリアＡＲ１，ＡＲ２，・・・，ＡＲｎの各々は、複数の遊技機設置島を含む。担当エリアＡＲ１，ＡＲ２，・・・，ＡＲｎの各々は、遊技場の同一階のフロアにある。なお、担当エリアＡＲ１，ＡＲ２，・・・，ＡＲｎの各々は、遊技場の異なる階（たとえば、１階、２階）のフロアにあってもよい（たとえば、１階を担当エリアＡＲ１、２階を担当エリアＡＲ２等）。
【００２７】
管理装置５００は、担当エリアＡＲ１，ＡＲ２，・・・，ＡＲｎの各々に含まれる複数の遊技機設置島１０００の島金庫３００（図２参照）と、通信ケーブルにより接続されている。通信ケーブルは、たとえば、データをシリアル転送するためのＲＳ−４８５(Recommended Standard 485)に準拠したケーブルである。なお、通信ケーブルは、ＲＳ−４８５に準拠したケーブルに限定されることなく、データをシリアル転送またはパラレル転送を行なうことが可能なケーブルであれば、他の規格のケーブルであってもよい。
【００２８】
また、管理装置５００は、担当エリアＡＲ１，ＡＲ２，・・・，ＡＲｎの各々に含まれる複数の遊技機設置島１０００の島金庫３００と、無線によりデータ通信を行なってもよい。この場合、無線ＬＡＮの規格である、ＩＥＥＥ８０２．１１ａ、ＩＥＥＥ８０２．１１ｂおよびＩＥＥＥ８０２．１１ｇのいずれかに基づく無線技術等により、無線データ通信が行なわれる。
【００２９】
次に、一例として、担当エリアＡＲ１に含まれる複数の遊技機設置島１０００の１つについて説明する。
【００３０】
図２は、遊技機設置島１０００の構成の一例を示す図である。なお、図２には、説明のために管理装置５００も示している。図２を参照して、遊技機設置島１０００は、複数の遊技機２００を含む。複数の遊技機２００の各々の左横には、台間機２１０が設置される。遊技機２００は、パチンコ遊技機、スロットマシン、コイン遊技機およびその他の遊技機のいずれであってもよい。すなわち、遊技機２００は、貨幣を使用して、遊技を行なうことが可能な機器であれば、どのような機器であってもよい。以下において、貨幣とは、紙幣または硬貨のことを示すとする。したがって、貨幣とは、たとえば、１０００円紙幣、５００円硬貨等のことを示す。
【００３１】
遊技機設置島１０００は、さらに、島金庫３００と、貨幣搬送装置４００とを含む。
貨幣搬送装置４００は、貨幣搬送路４１０を介して、複数の台間機２１０の各々と接続される。貨幣搬送路４１０は、島金庫３００と接続される。
【００３２】
台間機２１０は、貨幣投入口２１２から投入された貨幣が真の貨幣であるか否かを判定する。台間機２１０により真の貨幣であると判定された貨幣は、台間機２１０により、台間機２１０に接続されている貨幣搬送路４１０へ排出される。貨幣搬送路４１０は、たとえば、ベルトコンベアにより、島金庫３００へ貨幣の搬送を行なう機構が設けられている。
【００３３】
貨幣搬送装置４００は、貨幣搬送路４１０に対し、複数の台間機２１０の各々から、貨幣搬送路４１０に排出された貨幣ＭＮを、島金庫３００へ搬送する処理を行なわせる。
【００３４】
島金庫３００は、詳細は後述するが、貨幣搬送路４１０が搬送した貨幣を蓄積する。なお、図１の担当エリアＡＲ１，ＡＲ２，・・・，ＡＲｎの各々に含まれる複数の遊技機設置島の各々に、島金庫３００が設置される。すなわち、島金庫３００は、遊技場４０００に複数台設置される。
【００３５】
図３は、島金庫３００の内部構成の一例を示すブロック図である。図３では、説明のために管理装置５００も示している。図３を参照して、島金庫３００は、貨幣蓄積部３９０を含む。
【００３６】
貨幣蓄積部３９０は、前述の貨幣搬送路４１０が搬送した貨幣を蓄積する。貨幣蓄積部３９０は、蓄積している貨幣の総額情報を、後述する制御部３１０へ送信する。
【００３７】
表示部３３０は、文字や画像等を表示する機能を有する。表示部３３０は、ＬＣＤパネル（Liquid Crystal Display Panel）、ＦＥＤパネル（Field Emission Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００３８】
指紋情報取得部３５０は、詳細は後述するが、人間の生体情報の一例の指紋情報を取得する機能を有する。本実施の形態では、生体情報は、人間の体の一部である指紋をデータ化した指紋情報を例に説明する。この場合、生体情報は、指紋の画像データ、指紋の特徴部分を抽出したデータ等となる。なお、生体情報は、指紋をデータ化した情報に限定されることなく、静脈、網膜、虹彩、顔等をデータ化した情報であってもよい。また、生体情報は、人間が発した声に基づく声紋等であってもよい。
【００３９】
指紋情報取得部３５０は、指が接触すると、接触した指の指紋をデータ化した指紋情報を、後述する制御部３１０へ送信する。指紋情報取得部３５０により、送信された指紋情報を利用して、後述する照合処理により、認証が成功すると、島金庫３００の後述する前面扉が開閉可能となる。
【００４０】
なお、指紋情報取得部３５０は、たとえば、ＣＣＤ（Charge Coupled Device）等を備える。指紋情報取得部３５０は、ＣＣＤにより、指紋情報を撮像して取得するが、静脈、網膜、虹彩、顔等を撮像することで生体情報を取得するようにしてもよい。また、声紋をデータ化した生体情報を取得するようにしてもよい。この場合、マイクが収集した声に基づいて、当該声の声紋をデータ化した生体情報を取得する。
【００４１】
以下においては、島金庫３００の扉が開閉可能となり、貨幣蓄積部３９０に蓄積された貨幣を取り出し可能な状態を、開錠状態ともいう。また、島金庫３００の扉が開成不能であり、貨幣蓄積部３９０に蓄積された貨幣を取り出し不可能な状態を、施錠状態ともいう。また、島金庫３００は、後述する照合処理および認証処理も行なうので、以下においては、島金庫３００を「認証端末」または単に「端末」ともいう。
【００４２】
図４は、開錠状態の島金庫３００を示す図である。図４を参照して、島金庫３００は、前面扉ＣＰ３１０と、制御基板ＣＰ３２０と、貨幣蓄積部３９０とを備える。
【００４３】
前面扉ＣＰ３１０には、後述する制御基板ＣＰ３２０が設けられる。前面扉ＣＰ３１０が開閉可能状態になると、貨幣蓄積部３９０に蓄積された貨幣を取り出し可能となる。
【００４４】
以下においては、遊技場４０００に含まれる、複数の島金庫３００の各々に蓄積された貨幣を回収することを許可された者を、貨幣回収担当者ともいう。貨幣回収担当者は、島金庫３００を操作することにより島金庫３００を開錠状態にすることができる。詳細は後述するが、貨幣回収担当者は、管理装置５００において、自分の指紋情報を予め登録しておく。そして、貨幣回収担当者は、島金庫３００の指紋情報取得部３５０により、自分の指紋情報を取得させ、認証が成功すると、島金庫３００を開錠状態にし、貨幣蓄積部３９０に蓄積された貨幣を回収することができる。
【００４５】
再び、図３を参照して、島金庫３００は、さらに、制御部３１０と、記憶部３２０と、通信部３６０とを含む。制御部３１０、記憶部３２０および通信部３６０は、制御基板ＣＰ３２０上に配置される。
【００４６】
記憶部３２０は、データを不揮発的に記憶する機能を有する。記憶部３２０は、制御部３１０によってデータアクセスされる。記憶部３２０は、電源を供給されなくてもデータを不揮発的に保持可能な媒体（たとえば、フラッシュメモリ）である。記憶部３２０には、後述するデータ、その他の各種データ等が記憶されている。
【００４７】
制御部３１０は、島金庫３００内の各部に対する各種処理や、演算処理等を行なう機能を有する。制御部３１０は、マイクロプロセッサ（Microprocessor）、ＦＰＧＡ（Field Programmable Gate Array）、ＡＳＩＣ（Application Specific Integrated Circuit）、およびその他の演算機能を有する回路のいずれであってもよい。
【００４８】
制御部３１０は、生成した文字または画像等を、表示部３３０に表示させる処理も行なう。また、制御部３１０は、入力部３４０に含まれる、前述した複数のボタンのうち、押下操作があったボタンに対応するボタン信号を、入力部３４０から受信する。制御部３１０は、受信したボタン信号に応じた処理を行なう。
【００４９】
また、制御部３１０は、前述した指紋情報取得部３５０から送信された指紋情報を受信し、後述する、認証処理等を行なう。
【００５０】
通信部３６０は、制御部３１０とデータの送受信を行なう。また、通信部３６０は、シリアルデータ通信を行なう通信用インターフェースの機能を有する。通信部３６０は、通信ケーブルにより、管理装置５００と接続される。したがって、制御部３１０は、通信部３６０を利用して、管理装置５００とデータ通信が可能である。なお、通信部３６０は、パラレルデータ通信を行なう通信用インターフェースの機能を有していてもよい。
【００５１】
なお、通信部３６０は、無線によりデータ通信を行なう機能を有していてもよい。この場合、通信部３６０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。この場合、通信部３６０は、無線により、管理装置５００とデータ通信を行なうことができる。
【００５２】
前述したように、図１の担当エリアＡＲ１，ＡＲ２，・・・，ＡＲｎの各々に含まれる複数の遊技機設置島の各々には、島金庫３００が設置される。そのため、管理装置５００は、担当エリアＡＲ１，ＡＲ２，・・・，ＡＲｎの各々に含まれる複数の島金庫３００とデータ通信を行なうことができる。
【００５３】
また、制御部３１０は、前述した貨幣蓄積部３９０から送信された貨幣の総額情報を受信することにより、貨幣蓄積部３９０に蓄積されている貨幣の総額を認識することが可能となる。
【００５４】
（管理装置）
次に、管理装置５００について詳細に説明する。
【００５５】
図５は、本実施の形態における管理装置５００の内部構成の一例を示すブロック図である。なお、図５には、説明のために、島金庫３００、記録媒体５５５、後述する指紋情報取得装置５９０も示している。記録媒体５５５には、後述するプログラム１８０が記録されている。すなわち、プログラム１８０は、媒体等に記録されてプログラム製品として流通される。また、記録媒体５５５もプログラム製品として流通される。
【００５６】
図５を参照して、管理装置５００には、マウス５４２と、キーボード５４４とが接続される。
【００５７】
マウス５４２は、オペレーターが管理装置５００を操作するためのインターフェースである。キーボード５４４は、オペレーターが管理装置５００を操作するためのインターフェースである。なお、キーボード５４４は、管理装置５００の内部に設けられる構成であってもよい。また、マウス５４２は、たとえば、タッチパッド等として、管理装置５００の内部に設けられる構成であってもよい。また、管理装置５００には、ペンタブレットが入力機器として接続されていてもよい。
【００５８】
管理装置５００は、表示部５３０と、制御部５１０と、記憶部５２０と、一時記憶部５２２とを備える。
【００５９】
記憶部５２０は、データを不揮発的に記憶する機能を有する。記憶部５２０は、制御部５１０によってデータアクセスされる。記憶部５２０は、大容量のデータを記憶可能なハードディスクである。なお、記憶部５２０は、ハードディスクに限定されることなく、電源を供給されなくてもデータを不揮発的に保持可能な媒体（たとえば、フラッシュメモリ）であればよい。記憶部５２０には、プログラム１８０、その他の各種データ等が記憶されている。
【００６０】
表示部５３０は、文字や画像等を表示する機能を有する。表示部５３０は、ＬＣＤパネル、ＣＲＴ（Cathode Ray Tube）、ＦＥＤパネル、ＰＤＰ（Plasma Display Panel）および有機ＥＬディスプレイパネルのいずれかを使用した装置である。なお、表示部５３０は、上記以外の表示方式のパネルを使用した装置であってもよい。なお、表示部５３０は、管理装置５００の外部に設けられた表示装置であってもよい。
【００６１】
制御部５１０は、記憶部５２０に記憶されたプログラム１８０に従って、管理装置５００内の各部に対する各種処理や、演算処理等を行なう機能を有する。制御部５１０は、マイクロプロセッサ、ＦＰＧＡ、ＡＳＩＣ、ＤＳＰおよびその他の演算機能を有する回路のいずれであってもよい。
【００６２】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、その他、データを揮発的に記憶保持可能な構成を有する回路のいずれであってもよい。
【００６３】
管理装置５００は、さらに、ＶＤＰ５３２と、ＶＲＡＭ（Video Random Access Memory）５３６とを備える。
【００６４】
ＶＲＡＭ５３６は、画像データを一時的に記憶する機能を有する。
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００６５】
ＶＤＰ５３２は表示部５３０と接続されている。ＶＤＰ５３２は、制御部５１０からの描画指示に応じて、記憶部５２０内の後述するプログラム１８０からフォントデータ、図形データ等を読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００６６】
管理装置５００は、さらに、入力部５４０と、記録媒体アクセス部５５０を備える。
入力部５４０には、マウス５４２と、キーボード５４４とが接続されている。オペレーターは、マウス５４２またはキーボード５４４を利用して、管理装置５００に指示を与える。マウス５４２またはキーボード５４４からの入力指示は、入力部５４０を介して制御部５１０へ送信される。制御部５１０は、入力部５４０からの入力指示に基づいて所定の処理を行なう。以下においては、オペレーター等による、マウス５４２またはキーボード５４４の操作を、インターフェース操作Ｐともいう。
【００６７】
記録媒体アクセス部５５０は、記録媒体５５５に記憶されている、データおよびプログラム等を読出す機能を有する。記録媒体５５５に記憶されているプログラム１８０は、制御部５１０のインストール処理により、記録媒体アクセス部５５０により読出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００６８】
なお、記憶部５２０には、プログラム１８０がインストールされていなくてもよい。この場合、制御部５１０は、記録媒体アクセス部５５０を利用して、記録媒体５５５に記憶されたプログラム１８０を読出して、プログラム１８０に基づいた所定の処理を行なう。
【００６９】
記録媒体５５５は、Blu-ray Disc(登録商標)、ＨＤ−ＤＶＤ（High-Definition Digital Versatile Disc）（登録商標）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード（登録商標）、ＳＭ（Smart Media（登録商標））、ＭＭＣ（登録商標）、ＳＤメモリーカード（登録商標）、メモリースティック（登録商標）、ｘＤピクチャーカード、ＵＳＢメモリ、磁気テープおよび上記以外の不揮発性メモリのいずれであってもよい。
【００７０】
管理装置５００は、さらに、通信部５６０と、通信部５６２とを備える。
通信部５６０は、制御部５１０とデータの送受信を行なう。なお、通信部５６０は、前述の通信部３６０と同様な構成および機能を有するので詳細な説明は繰り返さない。すなわち、通信部５６０は、島金庫３００と有線または無線で、データの送受信を行なう機能を有する。
【００７１】
通信部５６２は、制御部５１０と、データの送受信を行なう。通信部５６２は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００７２】
なお、通信部５６２は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６２は、ＩＥＥＥ１３９４に基づく通信用インターフェースの機能を有していてもよい。
【００７３】
通信部５６２には、指紋情報取得装置５９０が接続されている。指紋情報取得装置５９０は、島金庫３００の指紋情報取得部３５０と同様な機能を有するので詳細な説明は繰り返さない。すなわち、指紋情報取得装置５９０は、人間の指紋情報を読取って取得する機能を有する。指紋情報取得装置５９０には、指紋情報を取得するための、指紋情報取得部５９２が設けられる。指紋情報取得装置５９０は、指紋情報取得部５９２が取得した指紋情報を、通信部５６２を介して、制御部５１０へ送信する。
【００７４】
なお、指紋情報取得装置５９０は、管理装置５００の内部に設けられる構成であってもよい。この場合、指紋情報取得装置５９０により取得された指紋情報は、制御部５１０へ送信される。
【００７５】
管理装置５００は、さらに、音声出力部５７２と、音声入力部５７４と、ＬＥＤ５７６とを備える。
【００７６】
音声出力部５７２は、制御部５１０で行なわれる処理に対応した音声を出力する機能を有する。音声出力部５７２には、音声を出力するスピーカが含まれる。制御部５１０は、音声出力部５７２とデータ通信する。制御部５１０が、音声データを音声出力部５７２へ送信すると、音声出力部５７２は、制御部５１０から受信した音声データに基づく音声をスピーカから出力する。
【００７７】
音声入力部５７４は、音声を入力する機能を有する。音声入力部５７４には、音声を入力するマイクが含まれる。音声入力部５７４は、マイクにより取得した音声を音声データに変換して、音声データを、制御部５１０へ送信する。制御部５１０は、音声入力部５７４とデータ通信する。
【００７８】
オペレーターが音声入力部５７４に含まれるマイクに対して音声を発すると、音声入力部５７４は、マイクにより取得した音声を音声データに変換して、音声データを、制御部５１０へ送信する。
【００７９】
ＬＥＤ５７６は、管理装置５００で行なわれる処理に応じて、光による報知を行なう。制御部５１０は、ＬＥＤ５７６とデータ通信する。ＬＥＤ５７６は、制御部５１０からの制御指示に基づいて、光を発する。
【００８０】
（管理装置の起動処理）
次に、店舗を開店するために、管理装置５００の電源がオンにされた場合の処理（以下、起動処理ともいう）について説明する。
【００８１】
図６は、起動処理のフローチャートである。図６を参照して、Ｓ１１０では、初期通信処理が行なわれる。初期通信処理では、制御部５１０が、遊技場４０００内の複数の島金庫３００の各々とデータ通信を行なう。この処理により、管理装置５００と、遊技場４０００内の複数の島金庫３００の各々とがデータ通信可能なオンライン状態となる。その後、Ｓ１１４に進む。
【００８２】
Ｓ１１４では、メイン画像表示処理が行なわれる。メイン画像表示処理では、制御部５１０が、ＶＤＰ５３２を利用して、後述する処理によって、記憶部５２０に記憶されているログデータに基づいて、以下のメイン画像を生成し、生成したメイン画像を、表示部５３０に表示させる。その後、Ｓ１１４の処理は終了する。
【００８３】
図７は、一例としてのメイン画像Ｇ１００Ｂを示す図である。図７を参照して、メイン画像Ｇ１００Ｂには、異常履歴画像Ｇ１１０Ｂと、状態表示画像Ｇ１２０と、操作履歴画像Ｇ１３０Ｂとが配置される。
【００８４】
異常履歴画像Ｇ１１０Ｂは、記憶部５２０に記憶されているログデータに基づいて、異常履歴情報が表示される。異常履歴情報は、貨幣回収担当者が、島金庫３００において、後述する認証処理を行なった場合、異常が発生したときの情報である。状態表示画像Ｇ１２０は、管理装置５００の動作状態の情報を示す。操作履歴画像Ｇ１３０Ｂは、記憶部５２０に記憶されているログデータに基づいて、操作履歴情報が表示される。操作履歴情報は、貨幣回収担当者が、島金庫３００において、後述する認証処理を行なった場合の操作情報である。
【００８５】
メイン画像Ｇ１００Ｂは、さらに、ボタン画像ＢＧ１１０，ＢＧ１９０が配置される。
ボタン画像ＢＧ１１０は、インターフェース操作Ｐにより押下処理されることで、指紋情報を登録する処理を行なうための画像を表示させるためのボタン画像である。ボタン画像ＢＧ１９０は、インターフェース操作Ｐにより、押下処理されることで、起動処理を終了するためのボタン画像である。
【００８６】
再び、図６を参照して、Ｓ１１４の処理の後、Ｓ１２０に進む。
Ｓ１２０では、制御部５１０が、登録画像移行操作があるか否かを判定する。登録画像移行操作は、ボタン画像ＢＧ１１０を押下処理するためのインターフェース操作Ｐである。Ｓ１２０において、ＹＥＳならば、Ｓ１２１に進む。一方、Ｓ１２０において、ＮＯならば、後述するＳ１２０ａに進み、Ｓ１２０ａでＮＯの判断が行なわれた場合にはＳ１８０に進み、Ｓ１８０でＮＯの判断が行なわれた場合にはＳ１２０に戻る。このＳ１２０→Ｓ１２０ａ→Ｓ１８０→Ｓ１２０のループの巡回途中で、登録画像移行操作があった場合には、制御がＳ１２１に移行する。
【００８７】
Ｓ１２１では、登録画像表示処理が行なわれる。登録画像表示処理では、登録画像を表示するための処理である。登録画像は、指紋情報を登録する処理を行なうための画像である。具体的には、制御部５１０が、ＶＤＰ５３２を利用して、以下の担当者データテーブル（図１４（ａ）において後述する）およびエリアデータテーブル（図１４（ｂ）において後述する）に基づいて、以下の登録画像Ｇ２００Ｄを生成し、生成した登録画像Ｇ２００Ｄを、表示部５３０に表示させる。その後、Ｓ１２１の処理は終了する。
【００８８】
図８は、一例としての登録画像Ｇ２００Ｄを示す図である。図８を参照して、登録画像Ｇ２００Ｄには、ＩＤ表示画像Ｇ２１０と、氏名表示画像Ｇ２１１とが配置される。
【００８９】
ＩＤ表示画像Ｇ２１０には担当者ＩＤが表示される。なお、初期状態では、担当者データテーブル（図１４（ａ）参照）における、番号“１”の担当者データの「担当者ＩＤ」が表示される。氏名表示画像Ｇ２１１には氏名が表示される。なお、初期状態では、担当者データテーブル（図１４（ａ）参照において後述する）における、担当者ＩＤ“１１０１”の担当者データの「氏名」が表示される。
【００９０】
登録画像Ｇ２００Ｄには、さらに、登録者一覧画像Ｇ２６０が配置される。登録者一覧画像Ｇ２６０には、担当者データテーブル（図１４（ａ）参照）を構成する複数の担当者データの情報が表示される。
【００９１】
インターフェース操作Ｐにより、登録者一覧画像Ｇ２６０内の担当者ＩＤまたは氏名の欄をクリックすると、当該クリックされた担当者ＩＤまたは氏名に対応する担当者データの担当者ＩＤおよび氏名が、それぞれ、ＩＤ表示画像Ｇ２１０および氏名表示画像Ｇ２１１に表示される。
【００９２】
登録画像Ｇ２００Ｄには、さらに、指紋情報名表示画像Ｇ２２１Ｂ，Ｇ２３１Ｃ，Ｇ２４１Ｃ，Ｇ２５１Ｃと、指紋情報名選択ボタン画像ＢＧ２２２，ＢＧ２３２，ＢＧ２４２，ＢＧ２５２とが配置される。
【００９３】
指紋情報名表示画像Ｇ２２１Ｂ，Ｇ２３１Ｃ，Ｇ２４１Ｃ，Ｇ２５１Ｃの各々には、貨幣回収担当者が指紋情報登録時（Ｓ１３０で後述する）に選択した指紋情報名が表示される。指紋情報名とは、貨幣回収担当者の指紋情報の名称である。図８では、右人差し指、左人差し指、右中か指、左中指が表示されている。なお、ＩＤ表示画像Ｇ２１０に表示されている担当者ＩＤにより特定される貨幣回収担当者の指紋情報の登録処理が行なわれていない場合は、指紋情報名表示画像Ｇ２２１，Ｇ２３１，Ｇ２４１，Ｇ２５１の各々には、指紋情報名が表示されない。
【００９４】
指紋情報名選択ボタン画像ＢＧ２２２，ＢＧ２３２，ＢＧ２４２，ＢＧ２５２の各々は、インターフェース操作Ｐにより押下処理されることで、登録画像Ｇ２００Ｂ内に複数種類の指名の表示がなされ、その中から希望する指名を選択することにより当該指名が選択されて図８の指紋情報名表示画像Ｇ２２１Ｂに示すように選択された指名が表示される。この状態で担当者ＩＤ１１０１の担当者が選択した指名の指を指紋情報取得部５９２に読取らせて該指紋情報を登録する。この登録処理を登録対象となる指名を変えながら合計４回行なうことができる。
【００９５】
指紋情報名選択ボタン画像ＢＧ２２２，ＢＧ２３２，ＢＧ２４２，ＢＧ２５２のいずれかが押下処理された場合には、図６のＳ１２２により指紋情報名選択操作ありと判断されて、Ｓ１３０の指紋情報登録処理が実行される。
【００９６】
図９は、指紋情報登録処理のフローチャートである。図９を参照して、Ｓ１３１では、指示画像表示処理が行なわれる。指示画像表示処理では、制御部５１０が、ＶＤＰ５３２を利用して、以下の指示画像ＷＧ３００を生成し、生成した指示画像ＷＧ３００を、表示部５３０に表示させる（図１０参照）。その後、Ｓ１３１の処理は終了する。
【００９７】
図１０は、一例としての指示画像ＷＧ３００を示す図である。図１０を参照して、指示画像ＷＧ３００には、指紋情報取得装置５９０の指紋情報取得部５９２に指を２回かざすことを促す旨のメッセージが表示される。当該メッセージは、たとえば、「指紋情報取得部に指を２回かざしてください」である。
【００９８】
指示画像ＷＧ３００には、さらに、ボタン画像ＷＢＧ３９０が配置される。ボタン画像ＷＢＧ３９０は、インターフェース操作Ｐにより押下処理されることにより、指紋情報登録処理を終了するためのボタン画像である。
【００９９】
再び、図９を参照して、Ｓ１３１の処理の後、Ｓ１３２に進む。
Ｓ１３２では、制御部５１０が、指紋情報取得処理を実行する。指紋情報取得処理は、他の処理とは独立して行なわれる。その後、Ｓ１３２の処理は終了する。
【０１００】
前述した指紋情報取得装置５９０の指紋情報取得部５９２に、貨幣回収担当者の体の指が挿入されて接触されると、指紋情報取得装置５９０は、指の指紋情報を読取り、その指紋情報を制御部５１０へ送信する。ここで、貨幣回収担当者の体の挿入される指は、一例として、右人指し指であるとする。この場合、指紋情報取得装置５９０が、制御部５１０へ送信する指紋情報は、右人指し指の指紋をデータ化した情報である。
【０１０１】
ここで、指紋情報取得装置５９０の指紋情報取得部５９２には、貨幣回収担当者の右人指し指が２回接触されたとする。この場合、指紋情報取得装置５９０は、指紋情報取得部５９２が取得した２つの指紋情報を、取得した順に、制御部５１０へ送信する。
【０１０２】
指紋情報取得処理では、制御部５１０が、指紋情報取得装置５９０から送信される、最初の指紋情報を受信し、受信した指紋情報を、前述した指紋情報名選択操作により選択された指紋情報名（右人指し指）と対応づけて、記憶部５２０に記憶させる。そして、制御部５１０は、指紋情報取得装置５９０から送信される、２つ目の指紋情報を受信し、受信した２つ目の指紋情報と、記憶部５２０に記憶させた指紋情報とを照合し、一致度合いを判定する。
【０１０３】
指紋情報が、画像データである場合、当該一致度合いの判定は、たとえば、画像のマッチング処理により行なわれる。また、指紋情報が、体の一部の特徴部分を抽出したデータである場合、当該一致度合いの判定は、たとえば、抽出データのマッチング処理により行なわれる。
【０１０４】
ここで、照合される２つの指紋情報の各々は、右人指し指の指紋をデータ化した情報（たとえば、指紋の画像）である。制御部５１０は、２つの指紋情報の一致度合いが、認証成功判定しきい値以上であると、認証成功と判定する。認証成功判定しきい値は、貨幣回収担当者の本人認証が成功したか否かを判定するためのしきい値である。認証成功判定しきい値は、たとえば、９０％であるとする。認証成功と判定さるのは、本人認証が成功と判定された場合である。
【０１０５】
一方、制御部５１０は、２つの右人指し指の指紋をデータ化した情報の一致度合いが、認証成功判定しきい値より小さい場合、認証失敗と判定する。すなわち、本人認証が失敗と判定される。
【０１０６】
制御部５１０は、認証成功と判定すると、記憶部５２０に記憶させた１つ目の指紋情報を、記憶部５２０に記憶させたままにする。すなわち、指紋情報を登録する。なお、記憶部５２０に登録させる指紋情報は、受信した２つ目の指紋情報であってもよい。また、制御部５１０は、認証失敗と判定すると、記憶部５２０に記憶させた１つ目の指紋情報を削除する。すなわち、指紋情報の登録は行なわれない。
【０１０７】
指紋情報取得処理では、前述したように、受信した２つの指紋情報の照合結果に基づいて、指紋情報を登録する処理が行なわれる。しかしながら、指紋情報取得処理で行なわれる指紋情報の登録は、前述の処理に限定されない。たとえば、指紋情報取得装置５９０から１つの指紋情報を受信し、照合等の処理をすることなく、受信した指紋情報を記憶部５２０に登録させてもよい。
【０１０８】
制御部５１０により、認証の結果が判定され、上記処理が行なわれると、指紋情報取得処理は終了する。Ｓ１３２の処理が終了すると、Ｓ１３３に進む。
【０１０９】
Ｓ１３３では、制御部５１０が、独立して実行される指紋情報取得処理が終了したか否かを判定する。Ｓ１３３において、ＹＥＳならば、Ｓ１３４に進む。一方、一方、Ｓ１３３において、ＮＯならば、後述するＳ１３９に進む。
【０１１０】
Ｓ１３４では、認証結果画像表示処理が行なわれる。認証結果画像表示処理では、制御部５１０が、ＶＤＰ５３２を利用して、表示部５３０に表示中の指示画像ＷＧ３００を消去し、指紋情報取得処理において判定された認証結果に基づいて、以下の認証結果画像ＷＧ４００を生成する。そして、制御部５１０は、ＶＤＰ５３２を利用して、認証結果画像ＷＧ４００を表示部５３０に所定時間（たとえば、５秒間）表示させた後、表示部５３０に表示中の認証結果画像ＷＧ４００を消去する。認証結果画像ＷＧ４００は、一例として、指紋情報取得処理において判定された認証結果が、認証成功の場合に生成される画像である。
【０１１１】
図１１は、一例としての認証結果画像ＷＧ４００を示す図である。図１１を参照して、認証結果画像ＷＧ４００には、指紋情報の認証が成功し、指紋情報が登録された旨のメッセージが表示される。当該メッセージは、たとえば、「指紋情報の認証が成功し、指紋情報が登録されました」というメッセージである。
【０１１２】
再び、図９を参照して、Ｓ１３４では、制御部５１０が、ＶＤＰ５３２を利用して、表示部５３０に表示中の認証結果画像ＷＧ４００を消去した後、以下の登録画像Ｇ２００Ｄを生成し、生成した登録画像Ｇ２００Ｄを表示部５３０に表示させる。そして、この指紋情報登録処理は終了し、図６の起動処理に戻り、Ｓ１３０の次の処理であるＳ１４０に進む。
【０１１３】
Ｓ１４０では、メイン画像表示操作があったか否かの判断が行なわれ、なければＳ１４１へ移行するが、あった場合にはＳ１１４に戻る。Ｓ１４１では、登録操作があったか否かの判断が行なわれる。この判断は、図８に示す登録ボタンＢＧ２５９が操作されたか否かの判断であり、操作されなければ制御がＳ１２２に移行するが、操作されればＳ１４２へ移行し、登録指紋情報対応づけ処理が実行された後制御がＳ１４０へ移行する。このＳ１４２の登録指紋情報対応づけ処理では、制御部５１０が、記憶部５２０において、指紋情報名と対応づけて記憶されている指紋情報を、表示部５３０に表示されている登録画像内の担当者ＩＤおよび氏名と対応づけて、記憶部５２０に記憶させる。これにより、記憶部５２０には、担当者データテーブル（図１４（ａ）参照）が記憶される。
【０１１４】
図７のＳ１２０→Ｓ１２０ａ→Ｓ１８０ａ→Ｓ１２０のループの巡回途中で、オペレーターが管理装置５００のキーボード５４４およびマウス５４２により、前述した担当エリアを区分け指定するエリア分け指定操作が行なわれた場合には、Ｓ１２０ａによりＹＥＳの判断がなされ、Ｓ１２０ｂのエリア分け／順番設定処理が実行される。
【０１１５】
図１２は、前述のＳ１２０ｂに示したエリア分け／順番設定処理の具体的制御内容を示すフローチャートである。まずＳ９００により、エリア番号の入力があったか否かの判断がなされ、あるまで待機する。オペレーターが、エリア分けする対象となるエリア番号（たとえばＡＲ１）を入力すれば、制御がＳ９０１へ移行し、端末ＩＤの入力があったか否かの判断がなされ、あるまで待機する。オペレーターは、入力したエリア番号（たとえばＡＲ１）に属する島金庫（端末）のＩＤを入力する。すると、制御がＳ９０２へ進み、その入力された端末ＩＤと入力されたエリア番号とを対応づけて記憶部５２０に記憶する処理が行なわれる。次にＳ９０３により、開錠順番の入力があったか否かの判断がなされ、入力があるまで待機する。この開錠順番とは、入力されたエリア番号に属する複数の端末（島金庫）３００の貨幣の回収作業を行なう際の回収順番（開錠順番）のことであり、Ｓ９０１により入力されたと判断された端末ＩＤがＳ９００により入力されたと判断されたエリア内において何番目に開錠される端末であるかの順番のことである。
【０１１６】
開錠順番が入力されれば、Ｓ９０４により、入力された端末ＩＤと入力された開錠順番とを対応づけて記憶部５２０に記憶する処理が行なわれる。次にＳ９０５により、端末ＩＤの入力が終了したか否かの判断がなされ、終了していない場合にはＳ９０２に戻り、Ｓ９０２〜Ｓ９０５の処理を繰返し実行する。この繰返し実行により、入力されたエリア番号に属する複数の端末ＩＤとその開錠順番とが記憶部５２０に記憶されることとなる。入力されたエリア番号に属するすべての端末ＩＤの入力が終了した場合には、オペレーターが終了操作を行なう。すると制御がＳ９０６へ移行し、エリア分け作業が終了したか否かの判断がなされる。終了していない場合には再びＳ９００に戻り、Ｓ９００〜Ｓ９０６の処理を繰返し実行する。たとえば、エリアＡＲ１のエリア分けが終了した後さらにエリアＡＲ２の設定操作を行なう場合には、Ｓ９０６によりＮＯの判断がなされて、Ｓ９００に戻り、エリアＡＲ２についての端末ＩＤの入力および開錠順番の入力処理が繰返し実行されることとなる。
【０１１７】
すべてのエリアについてエリア分けが終了した段階で、オペレーターがエリア分け終了操作を行なえば、制御がＳ９０７へ移行し、それまでに入力設定されて記憶部５２０に記憶されているエリアデータをエリアデータテーブル（図１４（ｂ）参照）として記憶部５２０に登録する処理が行なわれて、このエリア分け／順番設定処理がリターンする。
【０１１８】
図１３は、指紋情報送信処理Ｓおよび指紋情報受信処理Ｔのフローチャートである。指紋情報送信処理Ｓおよび指紋情報受信処理Ｔの各々は、他の処理とは独立して行なわれる処理である。図１３を参照して、管理装置５００が行なう指紋情報送信処理Ｓでは、まず、Ｓ２１０の処理が行なわれる。
【０１１９】
Ｓ２１０では、制御部５１０が、担当エリアＡＲ１、ＡＲ２・・・ＡＲｎ、を選択するための選択操作があるか否かを判定する。選択操作は、登録画像Ｇ２００Ｄ内のエリア一覧画像Ｇ２７０Ｄに表示される複数の「チェック」の欄のうち少なくとも１つをクリックすることにより、チェックマークを表示するためのインターフェース操作Ｐである。Ｓ２１０において、ＹＥＳならば、Ｓ２１１に進む。一方、Ｓ２１０において、ＮＯならば、再度、Ｓ２１０の処理が行なわれる。
【０１２０】
ここでは、一例として、登録者一覧画像Ｇ２６０に表示される複数の「チェック」の欄の担当者ＩＤ１１０１にチェックマークを表示するための選択操作があり、かつ、エリア一覧画像Ｇ２７０Ｄに表示される複数の「チェック」の欄のＡＲ１にチェックマークを表示するための選択操作があったとして（図８参照）、Ｓ２１１に進む。この場合の選択操作は、担当者の担当エリアを選択するための操作となる。なお、選択操作は、エリア一覧画像Ｇ２７０Ｄに表示される複数の「チェック」の欄の１つではなく、当該複数の「チェック」の欄のうち、２つ以上の「チェック」の欄にチェックマークを表示するための操作であってもよい。Ｓ２１１の処理の後、Ｓ２２０に進む。
【０１２１】
Ｓ２２０では、制御部５１０が、指紋情報送信操作があるか否かを判定する。指紋情報送信操作は、ボタン画像ＢＧ２９２を押下処理するためのインターフェース操作Ｐである。Ｓ２２０において、ＹＥＳならば、Ｓ２２１に進む。一方、Ｓ２２０において、ＮＯならば、再度、Ｓ２２０の処理が行なわれる。ここでは、表示部５３０に登録画像Ｇ２００Ｄが表示されている状態で、指紋情報送信操作があったとして、Ｓ２２１に進む。
【０１２２】
Ｓ２２１では、Ｓ２１０により選択された担当者ＩＤとその指紋情報とを、Ｓ２１０により選択された担当エリア内に属するすべての端末（島金庫）３００に送信する処理が行なわれる。具体的には、図８のチェックマークの状態では、１１０１の担当者ＩＤの指紋情報が担当者テーブル（図１４（ａ）参照）から読出され、該読出された指紋情報と１１０１の担当者ＩＤとが、エリアＡＲ１に属するすべての端末（島金庫）３００に送信される。
【０１２３】
エリアＡＲ１に属するすべての島金庫３００（認証端末）の各々が行なう指紋情報受信処理Ｔでは、まず、Ｓ２６０の処理が行なわれる。
【０１２４】
Ｓ２６０では、制御部３１０が、照合用指紋情報を受信したか否かを判定する。Ｓ２６０において、ＹＥＳならば、Ｓ２６１に進む。一方、Ｓ２６０において、ＮＯならば、再度、Ｓ２６０の処理が行なわれる。ここでは、照合用指紋情報を受信したとして、Ｓ２６１に進む。
【０１２５】
Ｓ２６１では、制御部３１０が、受信した照合用指紋情報を、記憶部３２０に記憶させる。この処理により、記憶部３２０に照合用指紋情報が指紋情報データテーブル（図１６参照）として登録される。その後、Ｓ２６２に進む。
【０１２６】
Ｓ２６２では、制御部３１０が、登録完了通知を、管理装置５００へ送信する。登録完了通知は、管理装置５００から送信された、照合用指紋情報を登録した旨を示す通知である。なお、登録完了通知には、自装置の端末ＩＤが含まれる。ここで、送信される登録完了通知には、端末ＩＤが含まれるとする。その後、再度、Ｓ２６０の処理が行なわれる。
【０１２７】
管理装置５００では、Ｓ２２１の処理の後、Ｓ２３０に進む。
Ｓ２３０では、制御部５１０が、登録完了通知を受信したか否かを判定する。Ｓ２３０において、ＹＥＳならば、Ｓ２３１に進む。一方、Ｓ２３０において、ＮＯならば、再度、Ｓ２３０の処理が行なわれる。ここでは、端末ＩＤを含む登録完了通知を受信したとして、Ｓ２３１に進む。
【０１２８】
Ｓ２３１では、島金庫３００（認証端末）において登録された指紋情報を管理するための登録指紋情報管理処理が行なわれる。登録指紋情報管理処理では、担当者データテーブル（図１４（ａ）参照）の担当者エリアの列に決定されたエリア番号を記憶させる処理も行なわれる。具体的には、Ｓ２１０により選択された担当者ＩＤ（１１０１）の担当者エリアにＳ２１０により選択された担当エリア（ＡＲ１）を記憶させる。Ｓ２３１の処理の後、Ｓ２３２に進む。
【０１２９】
Ｓ２３２では、制御部５１０が、照合用指紋情報を送信した全ての島金庫３００（認証端末）の各々から、登録完了通知の受信を完了したか否かを判定する。Ｓ２３２において、ＹＥＳならば、後述するＳ２３３に進む。一方、Ｓ２３２において、ＮＯならば、再度、Ｓ２３０の処理が行なわれる。ここでは、全ての島金庫３００（認証端末）の各々から、登録完了通知の受信を完了してないとして、Ｓ２３０に進む。
【０１３０】
照合用指紋情報を送信した全ての島金庫３００（認証端末）の各々において、前述した指紋情報受信処理Ｔが行なわれるまで、Ｓ２３０，Ｓ２３１の処理が繰り返し行なわれる。照合用指紋情報を送信した全ての島金庫３００（認証端末）の各々において、前述した指紋情報受信処理Ｔが行なわれると、Ｓ２３２において、ＹＥＳと判定されて、Ｓ２３３に進む。
【０１３１】
図１４は、記憶部５２０に記憶されているデータテーブルであり、（ａ）は担当者データテーブル、（ｂ）はエリアデータテーブルを示す図である。
【０１３２】
図１４（ａ）を参照して、担当者データテーブルは、担当者ＩＤ、担当者名、担当エリア、指紋情報の各情報がテーブル状に記憶されている。担当者ＩＤは、遊技場４０００における島金庫３００の貨幣の回収を担当するすべての担当者のＩＤが記憶される。担当者名は、その担当者ＩＤに対応させて担当者の名前が記憶される。担当者エリアは、当該担当者が担当する貨幣回収のためのエリアの番号が記憶される。指紋情報は、当該担当者が登録した指紋情報としての指紋データが登録される。
【０１３３】
次に、図１４（ｂ）を参照して、エリアデータテーブルは、担当エリア、端末ＩＤ、端末名、開錠順番、開錠状態の各情報がテーブル状に記憶される。担当エリアの列には、担当エリアの番号が記憶される。担当ＩＤの列には、担当エリア毎に、当該担当エリアに属するすべての端末のＩＤが記憶される。端末名の行には、端末ＩＤに対応している端末名（たとえば島金庫００１、００２…）が記憶される。開錠順番は、担当エリア内において開錠される順番が記憶される。たとえば、端末ＩＤがＭＢ００１の場合には、開錠順番が１番目であり、ＭＢ００２の場合には開錠順番が２番目となっている。開錠状態は、現時点において当該端末が開錠されているか否かを特定するための情報（たとえば「閉」、「開」）が記憶される。この開錠状態については後述する。
【０１３４】
図１５は、管理装置５００により実行される有効化送信処理と島金庫３００により実行される有効化受信処理とを示すフローチャートである。遊技場４０００において、これから島金庫３００の貨幣を回収しようとする担当者の指紋情報を有効化し、当該担当者が島金庫の開錠を行なうことができるようにする一方、開錠が許容される者を指紋情報が有効化された者に限定することにより、セキュリティをより一層向上させることを目的として、有効化送信処理および有効化受信処理が実行される。
【０１３５】
まず、管理装置５００において、Ｓ１により担当者ＩＤの入力があったか否かの判断がなされ、あるまで待機する。これから開錠作業を開始しようとする担当者が自己のＩＤの入力を管理装置５００において行なうことにより、Ｓ１によりＹＥＳの判断がなされ、制御がＳ２へ進む。Ｓ２においては、入力された担当者ＩＤに基づいて担当者データテーブル（図１４（ａ）参照）が検索され、該当する担当者ＩＤがあるか否かの判断が行なわれ、ない場合にはＳ４によりエラー報知が行なわれた後Ｓ１へ戻る。一方、該当する担当者ＩＤがある場合には、制御がＳ５へ進み、有効化操作があったか否かの判断がなされ、あるまで待機する。管理装置５００において、有効化操作が行なわれれば、制御がＳ６へ進み、Ｓ１により入力されたと判断された担当者ＩＤの担当エリア内のすべての端末を送信先に決定する処理が行なわれる。この担当者ＩＤの担当エリアは、担当者データテーブル（図１４（ａ）参照）を参照することにより特定することができる。次にＳ７により、有効化情報（担当者ＩＤを含む）を端末（島金庫）３００へ送信する処理が行なわれる。
【０１３６】
端末（島金庫）３００では、Ｓ８により、有効化情報（担当者ＩＤを含む）を受信したか否かの判断を行ない、受信するまで待機する。そして、有効化情報（担当者ＩＤを含む）を受信した段階で、制御がＳ９へ進み、指紋情報データテーブル（図１６参照）の該当する担当者ＩＤの有効フラグを「１」にする処理が行なわれる。次にＳ１０により、有効化完了通知を管理装置５００へ送信する処理が行なわれる。
【０１３７】
管理装置５００では、有効化完了通知を受信したか否かの判断をＳ１１により行ない、受信した段階で制御がＳ１へ戻る。一方、Ｓ１２により所定時間が経過したか否かの判断が行なわれ、所定時間が経過したとしても有効化完了通知が受信されなかった場合には、Ｓ１３により、エラー報知が行なわれた後Ｓ１へ戻る。
【０１３８】
図１６は、島金庫３００に記憶されている指紋情報データテーブルを示す図である。指紋情報データテーブルは、担当者ＩＤ、有効フラグ、指紋情報の各情報をテーブル状に記憶している。この指紋情報データテーブルは、エリアＡＲ１に属する端末ＩＤがＭＢ００１の島金庫３００に記憶されている指紋情報データテーブルである。遊技場４０００の担当者のうち、当該島金庫３００の貨幣の回収を担当する担当者のＩＤが、担当者ＩＤの行に記憶される。図１６では、担当者ＩＤ１１０１、１１０３、１１１１、１１２０の４人の担当者が当該島金庫３００を担当している。
【０１３９】
有効フラグの行は、現時点で指紋情報が有効化されている担当者を特定するためのフラグであり、有効化されているときには「１」、有効化されていないときには「０」のデータが記憶される。図１６では、担当者ＩＤ１１０３の指紋情報が現時点で有効化されている状態が示されている。指紋情報の行は、担当者ＩＤに対応させて当該担当者の登録された指紋情報である指紋データが記憶される。
【０１４０】
図１７は、島金庫３００による認証処理Ｔを示すフローチャートである。まず、Ｓ２０により、指紋情報を取得したか否かの判断が行なわれ、取得するまで待機する。島金庫３００の貨幣を収納しようとする遊技場の係員（担当者）が島金庫３００の指紋情報取得部３５０に指を挿入して指紋情報を読取らせた場合には、制御がＳ２１へ進み、指紋情報データテーブル（図１６参照）中の有効フラグの「１」を検索する処理が行なわれる。次にＳ２２により、有効フラグ「１」があるか否かの判断が行なわれ、ない場合にはＳ２９により、異常通知（当該島金庫３００の端末ＩＤを含む）を管理装置５００へ送信する処理が行なわれてこの認証処理Ｔの制御が終了する。一方、Ｓ２２により有効フラグ「１」があると判断された場合には、制御がＳ２３へ移行し、指紋情報データテーブルの有効フラグ「１」に相当する指紋情報（指紋データ３）を読取り、その指紋情報と指紋情報取得部３５０が取得した指紋情報とを照合する処理が行なわれる。この照合処理は、たとえば指紋認証で一般的に採用されている指紋データのパターンマッチング法等を採用する。
【０１４１】
次にＳ２４へ進み、照合結果認証が成功したか否かの判断が行なわれる。成功でない場合には前述のＳ２９へ制御が移行するが、成功したと判断された場合にはＳ２５へ移行し、認証成功通知（当該島金庫３００の端末ＩＤを含む）を管理装置５００へ送信する処理が行なわれる。次にＳ２６により、貨幣蓄積部３９０の施錠を開錠する開錠処理が行なわれる。次にＳ２７により、施錠されたか否かの判断が行なわれ、施錠されるまで待機する。担当者が開錠された貨幣蓄積部３９０から貨幣を回収して再び貨幣蓄積部３９０を施錠すれば、Ｓ２７によりＹＥＳの判断がなされて制御がＳ２８へ進み、施錠通知（当該島金庫３００の端末ＩＤを含む）を管理装置５００へ送信する処理が行なわれて、この認証処理Ｔが終了する。
【０１４２】
以上説明したように、島金庫３００による認証処理Ｔでは、指紋情報データテーブルの有効フラグが「１」となっている指紋情報のみを照合対象の指紋情報として用いて認証を行なうのであり、指紋情報データテーブルに登録されている指紋情報であったとしても有効フラグが「０」のものは照合対象として用いないために、照合対象としての指紋情報を限定することによるセキュリティの向上を期待することができる。
【０１４３】
図１８は、管理装置５００による開錠チェック処理を示すフローチャートである。遊技場４０００内の複数の遊技機設置島１０００の端部に設けられた島金庫３００から貨幣を貨幣回収担当者が回収する場合には、担当エリア内の複数の島金庫３００を一人の貨幣回収担当者が担当して貨幣を回収するのが一般的である。しかも、所定の回収順序に従って回収されるのが一般的であり、貨幣回収担当者は担当エリア内の一番最初の回収順序の島金庫３００を開錠して貨幣を回収した後その島金庫３００を施錠し、次の島金庫３００を開錠して貨幣を回収した後その島金庫３００を施錠するという回収作業を、所定の順番に従って順次実行する。図１８に示す開錠チェック処理は、遊技場４０００において貨幣回収担当者が通常行なう貨幣回収作業の一般的パターンに着目し、その一般的作業パターンから逸脱する疑わしい貨幣回収パターンを監視して異常の恐れがあるときに異常報知する制御処理である。
【０１４４】
管理装置５００は、各島金庫３００から送信されてくる前述した異常通知（Ｓ２９参照）、認証成功通知（Ｓ２５参照）、施錠通知（Ｓ２８参照）に基づいて、各島金庫３００の開錠作業のパターンが係員の正常な貨幣回収作業に伴う開錠パターンから逸脱していないかチェックして監視する。
【０１４５】
まずＳ４０により、認証処理に伴う通知をいずれかの島金庫３００から受信したか否かの判断が行なわれ、受信していない場合には、Ｓ５４により貨幣回収完了操作があったか否かの判断がなされる。貨幣回収完了操作がない場合にはＳ４０に戻る。このＳ４０→Ｓ５４→Ｓ４０のループの巡回途中で、いずれかの島金庫３００から前述の異常通知、認証成功通知、あるいは施錠通知のいずれかを受信すれば、制御がＳ４１へ進み、受信した通知情報が認証成功通知（端末ＩＤを含む）であるか否かの判断が行なわれる。認証成功通知であった場合には、制御がＳ４２へ進み、その受信情報に含まれている島金庫３００の端末ＩＤに基づいてエリアデータテーブル（図１４（ｂ）参照）を検索して該当するエリアと開錠順番とを読出す処理が行なわれる。
【０１４６】
次にＳ４３により、その読出したエリア中に開錠状態が「開」のものがあるか否かの判断が行なわれる。同一エリア内において既に開錠状態にある島金庫３００が存在する場合すなわち同一エリア内において同時に２つ以上の島金庫３００が開錠された場合には、Ｓ４３によりＹＥＳの判断がなされてＳ４９へ進むが、同一エリア内に既に開錠されているものが存在しない場合にはＳ４４へ進み、読出したエリアに対応する開錠カウンタを「１」加算更新する処理が行なわれる。この開錠カウンタとは、同一エリア内で何台目の島金庫３００が開錠されたかを計数するためのカウンタであり、各エリアＡＲ１〜ＡＲｎに対応して１つずつ設けられている。そして、Ｓ４２の処理により特定されたエリアに対応して設けられている開錠カウンタをＳ４４により「１」加算更新するのである。
【０１４７】
この開錠カウンタの値は、同一エリア内における島金庫３００の開錠順番に従って適正に担当者が開錠している限り、今回開錠された島金庫に割り振られている開錠順番（図１４（ｂ）参照）と一致する筈である。Ｓ４５では、その一致状態すなわち、読出したエリアに対応する開錠カウンタの値と読出した開錠順番とが一致するか否かを判定する。一致しない場合にはＳ４９へ制御が移行するが、一致する場合にはＳ４６に制御が移行し、読出した開錠順番が１番であるか否かの判断が行なわれる。１番である場合にはＳ４７に進み、読出したエリアに対応する開錠時刻を現在の時刻に更新する処理が行なわれる。このＳ４７の更新処理では、操作履歴データを更新する処理も行なわれる。この更新処理は、図７に示す操作履歴のデータを更新するものであり、今回の貨幣回収作業で開錠された端末のＩＤ、端末名（金庫番号）、開錠した貨幣回収担当者の名前、状態（認証ＯＫ）の各情報が新たに記憶されて、そのデータが操作履歴画像Ｇ１３０Ｂとして表示される（図７参照）。
【０１４８】
一方、読出した開錠順番が２番以降の場合には、制御はＳ４８へ進み、読出したエリアに対応する開錠時刻と現在の時刻との差が所定時間以上であるか否かの判断が行なわれる。たとえば、読出した開錠順番が２番であった場合には、Ｓ４８では、読出した開錠順番が１番であったときにＳ４７により更新された現在時刻と現在の時刻との差が所定時間以上あるか否かの判断が行なわれることとなる。すなわち、Ｓ４８では、同一エリア内において順番に島金庫３００を開錠している状態で、今回開錠した島金庫よりも１つ前に開錠した島金庫の開錠時刻と今回の島金庫の開錠時刻との差が所定時間以上であるか否かの判断が行なわれる。この所定時間は、担当者が通常の貨幣の回収作業の速度で島金庫３００の開錠を順次行なうときの、ある島金庫３００の開錠から次の島金庫３００の開錠までにかかる時間であり、たとえば５０秒程度である。このＳ４８の「所定時間」は、管理装置５００のキーボード５４４とマウス５４２を操作して可変設定できるようにし、当該遊技場４０００における貨幣回収担当者の回収速度に応じた時間に設定できるようにしてもよい。また、任意の１つの島金庫３００から次の島金庫３００までの間の「所定時間」を、各島金庫３００間毎に個別設定できるようにしてもよい。
【０１４９】
Ｓ４８により、所定時間以上でないと判断された場合には通常の作業速度よりも速い作業速度であるために、異常と判断してＳ４９へ制御を移行させるが、所定時間以上であると判断された場合には、Ｓ４７に進み、読出したエリアに対応する開錠時刻を現在の時刻に更新する処理が行なわれる。なお、貨幣回収担当者が回収作業の途中で（たとえば１０台の島金庫３００のうち５台目を回収し終わった時点で）、回収作業を中断し、後述する貨幣回収完了操作（Ｓ５４）を行い、その後貨幣回収作業を再開した場合には、読出したエリアに対応する時刻が記憶されていないため、Ｓ４８ではＹＥＳの判断を行い、制御がＳ４７へ移行する。ゆえに、貨幣回収作業を途中から再開した場合に、Ｓ４８で異常と誤判定されてＳ４９による異常報知が実行されることを回避できる。
【０１５０】
次にＳ５１へ進み、受信情報に含まれている端末ＩＤの開錠状態を「開」にする処理が行なわれる。これは、図１４（ｂ）に示すエリアデータテーブルにおける開錠状態の行のデータを更新する処理であり、受信情報に含まれている端末ＩＤに相当する開錠状態の「閉」を「開」に変更する処理である。これにより、同一エリア内においてどの島金庫が現在開錠状態であるかを管理することができる。Ｓ５１の処理の後、この開錠チェック処理が終了する。
【０１５１】
次に、同一エリア内に同時に２つ以上の島金庫３００が開錠状態となった場合には、Ｓ４３によりＹＥＳの判断がなされてＳ４９に制御が進み、異常報知が行なわれる。この異常報知は、管理装置５００の表示部５３０により、異常と判定された島金庫３００の端末ＩＤを表示するとともに異常発生のメッセージ表示が行なわれ、さらに、音声出力部５７２から異常発生を示す警報音が出力される。その警報音を聞いた係員が管理装置５００に駆けつけてその表示部５３０を見ることにより、異常が発生した島金庫３００を認識することができ、その異常が発生した島金庫３００へ当該係員が駆けつけて、異常発生に対する対応を行なう。次に、制御がＳ５０へ進み、異常履歴データの更新処理が行なわれる。この更新処理は、図７に示す異常履歴のデータを更新するものであり、今回の貨幣回収作業で開錠された端末のＩＤ、端末名（金庫番号）、開錠しようとした貨幣回収担当者の名前、状態（認証ＮＧ等）の各情報が新たに記憶されて、そのデータが異常履歴画像Ｇ１１０Ｂとして表示される（図７参照）。その後、制御がＳ５１へ進む。
【０１５２】
また、同一エリア内における島金庫３００の順次開錠を行なう際のある島金庫３００の開錠から次の島金庫３００の開錠までの時間が異常に短い場合には、Ｓ４８によりＮＯの判断がなされて、Ｓ４９以降の前述の異常発生時の制御動作が実行される。
【０１５３】
さらに、島金庫３００から異常通知（当該金庫３００の端末ＩＤを含む）が送信されてきた場合には、Ｓ５６によりＹＥＳの判断がなされ、Ｓ４９以降の前述の異常発生時の処理が実行される。この異常通知は、前述した図１７のＳ２９の処理に従って島金庫３００から送信されてくるものである。
【０１５４】
島金庫３００から施錠通知（当該島金庫３００の端末ＩＤを含む）が送信されてくれば（図１７Ｓ２８参照）、Ｓ５６によりＮＯの判断がなされて制御がＳ５７へ進み、施錠通知に含まれている端末ＩＤに基づいてエリアデータテーブル（図１４（ｂ）参照）を検索し該当する開錠状態を「閉」に変更する処理がなされた後、この開錠チェック処理が終了する。したがって、島金庫３００が開錠されるときに送信されてくる認証成功通知を受信したことにより、その受信情報に含まれている端末ＩＤの開錠状態を「開」にし、当該島金庫３００が施錠されたときに送信されてくる施錠通知を受信したことにより、その施錠通知に含まれている端末ＩＤに対応する開錠状態を「閉」にすることにより、管理装置５００では、どの島金庫３００が開錠されているのかを管理することができる。
【０１５５】
次に、前述のＳ４０→Ｓ５４→Ｓ４０のループの巡回途中で、担当者が自己の担当するエリア内の島金庫３００すべてから貨幣を回収し、その貨幣回収作業が終了した段階で当該担当者が管理装置５００のキーボード５４４およびマウス５４２により貨幣回収完了操作を行なえば、Ｓ５４によりＹＥＳの判断が行なわれる。この貨幣回収完了操作では、貨幣の回収が完了したエリア番号の入力を行なった後回収完了を示す操作が行なわれる。すると、Ｓ５５により、開錠カウンタのクリア処理が行なわれる。この開錠カウンタのクリア処理は、入力されたエリアに属する全ての島金庫３００からの貨幣回収作業が終了しているか否かの判断を行い（たとえば開錠カウンタの値がエリア内の全島金庫の数となっているか否かで判断する）、終了している場合には、その入力されたエリア番号に対応する開錠カウンタがクリアされる。
【０１５６】
なお、開錠チェック処理の結果異常が判別されて異常報知がなされた場合には、管理事務所３０００に待機している係員が異常に対処してそれ以降の貨幣の回収作業を行なった後、前述の貨幣回収完了操作を行なう。また、貨幣回収担当者が貨幣の回収途中で急用等により回収作業の中断を行なう場合にも、前述の貨幣回収完了操作を行なう。この場合には、入力されたエリアに属する全ての島金庫３００からの貨幣回収作業が終了していないと判断されてＳ５５による開錠カウンタのクリアを行なわない。よって、中断後の途中からの回収作業の再開時にＳ４５により誤って異常判定される不都合を回避できる。なお、この貨幣回収作業の未終了と判断された場合には、Ｓ５５によりＳ４８の判断に用いられる「読出したエリアに対応する開錠時刻」の記憶をクリアする。また、貨幣回収作業の未終了と判断されてクリアされなかった開錠カウンタは、管理装置５００を手動操作することによりクリアできるように構成されている。
【０１５７】
Ｓ５５の処理の後、Ｓ５２に進み、受信情報に含まれている端末ＩＤの島金庫３００に対して無効化情報を送信する処理が行なわれる。この無効化情報は、指紋情報データテーブル（図１６参照）の有効フラグの「１」を「０」に変更するための指令情報のことである。
【０１５８】
図１９は、島金庫３００における無効処理を示すフローチャートである。まずＳ６０により、無効化情報を受信したか否かの判断が行なわれ、受信するまで待機する。管理装置５０から無効化情報が送信されてくれば（図１８Ｓ５２参照）、Ｓ６０によりＹＥＳの判断がなされてＳ６１に進み、指紋情報データテーブル（図１６参照）を検索して有効フラグの「１」を「０」にする制御が行なわれ、この無効化処理が終了する。この無効化処理の結果、島金庫３００では、現時点で有効フラグが「１」となっている指紋情報のみを用いて本人認証を行なうこととなり、本人認証に用いられる照合対象の指紋情報を限定することによるセキュリティの向上を期待することができる。
【０１５９】
＜第２実施の形態＞
図２０は、第２実施の形態を示し、（ａ）は、前述の図１７の認証処理Ｔの第２実施の形態のフローチャート、（ｂ）は前述の図１８の開錠チェック処理の第２実施の形態を示している。前述の第１実施の形態では、島金庫３００において本人認証に成功すれば無条件で開錠を行ない、その後管理装置５００側での開錠チェックの結果異常と判定されればその時点で異常報知を行なうものを示したが、この第２実施の形態では、島金庫３００側において本人認証に成功したとしてもそれだけでは開錠を行なわず、管理装置５００側での開錠チェック処理の結果正常であると判定されたことを条件として、初めて開錠を行なうという内容のものである。
【０１６０】
まず図２０の（ａ）を参照して、第２実施の形態における認証処理Ｔでは、前述の図１７のＳ２０〜Ｓ２５の各ステップの処理を実行した後、Ｓ７１により、開錠チェック結果を受信したか否かの判定が行なわれ、受信するまで待機する。この開錠チェック結果とは、管理装置５００による開錠チェック処理の結果であり、管理装置５００側から送信されてくる情報である。管理装置５００側から開錠チェック結果が送信されてくれば、Ｓ７１によりＹＥＳの判断がなされてＳ７２に進み、その開錠チェック結果が正常であるか否かの判断が行なわれる。正常である場合にはＳ７３に進み、前述の図１７のＳ２６〜Ｓ２８の各ステップの処理が実行される。この処理により、初めて島金庫３００が開錠されることとなる。一方、受信した開錠チェック結果が異常であった場合には、Ｓ３７の処理を行なうことなくこの認証処理Ｔが終了する。その結果、島金庫３００は開錠されることがない。なお、図１７のＳ２２またはＳ２４でＮＯと判断されたときに実行されるＳ２９の処理は、図２０（ａ）では図示を省略しており、Ｓ２２またはＳ２４でＮＯと判断されたときにＳ２９を実行することは、図１７と同様である。
【０１６１】
次に、図２０の（ｂ）を参照し、第２実施の形態における開錠チェック処理では、Ｓ７７とＳ７８により、前述の図１８のＳ４０とＳ５４の判定処理がなされ、Ｓ７８でＹＥＳと判断された場合には、Ｓ７９により、図１８のＳ５５、Ｓ５２の処理がなされる。Ｓ７７によりＹＥＳと判断された場合には、Ｓ８０により、図１８のＳ４１〜Ｓ５０の各ステップの処理を実行し、その実行に伴って前述の図１８のＳ５６でＹＥＳまたはＳ４３でＹＥＳまたはＳ４５でＮＯまたはＳ４８でＮＯと判断されたか否かの判断が行なわれる（Ｓ８１）。図１８の開錠チェック処理においてすべて正常であると判断された場合にはＳ８１によりＮＯの判断がなされ、前述の図１８のＳ４７の処理が行なわれた後（Ｓ８２）、Ｓ８３に制御が進み、チェック結果正常である旨を島金庫３００に送信する処理が行なわれる。その結果、Ｓ７１およびＳ７２により共にＹＥＳの判断がなされることとなる。次に制御がＳ８４に進み、前述の図１８のＳ５１のステップの処理が実行された後、開錠チェック処理が終了する。
【０１６２】
一方、図１８の開錠チェック処理の結果何らかの異常が判別されれば、Ｓ８１によりＹＥＳの判断がなされて、前述の図１８のＳ５０の処理が行なわれた後（Ｓ８５）、Ｓ８６により、チェック結果異常である旨を島金庫３００へ送信する。その結果、Ｓ７２によりＮＯの判断がなされ、島金庫３００では開錠が行なわれないこととなる。その後、制御がＳ８４へ進み、前述の図１８のＳ５１〜Ｓ５５の処理が実行された後、開錠チェック処理が終了する。なお、この第２の実施の形態において、図２０に示した制御以外では第１の実施の形態のものと同様であり、説明の繰返しを省略する。
【０１６３】
＜第３の実施の形態＞
図２１は、第３実施の形態における認証処理Ｔを示すフローチャートである。第１の実施の形態では、管理装置５００からの無効化情報の送信（図１８Ｓ５２参照）を待って島金庫３００が指紋情報データテーブルの有効フラグの「１」を「０」に更新するものを示したが（図１９Ｓ６１参照）。この第３実施の形態では、管理装置５００からの無効化情報の送信を待つことなく島金庫３００自身が有効フラグを「０」に更新する制御を行なうものである。
【０１６４】
まずＳ９０により、前述の図１７のＳ２０〜Ｓ２５の各ステップの処理を実行した後、Ｓ９１により、指紋情報データテーブル１０の有効フラグの「１」を「０」に更新する処理を行なう。すなわち、生体認証の結果本人認証に成功した場合には、島金庫３００自らその成功した担当者に相当する有効フラグを「０」に更新するのである。その後、Ｓ９２により、前述の図１７のＳ２６〜Ｓ２８の各ステップの処理を実行した後、この認証処理Ｔが終了する。なお、図１７のＳ２２またはＳ２４でＮＯと判断されたときに実行されるＳ２９の処理は、図２１（ａ）では図示を省略しており、Ｓ２２またはＳ２４でＮＯと判断されたときにＳ２９を実行することは、図１７と同様である。また、この第３の実施の形態では、図１８のＳ５２のステップは不要であり削除する。これら以外の制御では第１の実施の形態のものと同様であり、説明の繰返しを省略する。
【０１６５】
次に、以上説明した実施の形態における各フローチャートで示されている制御のうち、どの制御部分が本発明のどの請求項に該当するのか、その対応関係を記載する。図１８のＳ４３、Ｓ４９の制御が、請求項１に該当する。図１８のＳ４８、Ｓ４９の制御が、請求項２に該当する。図１２の９０３、Ｓ９０４、図１８のＳ４４、Ｓ４５、Ｓ４９の制御が、請求項３に該当する。図１２のＳ９００〜Ｓ９０２、Ｓ９０６、Ｓ９０７、図１８のＳ４３、Ｓ４９の制御が、請求項４に該当する。図１３のＳ２１０〜Ｓ２２１、図１７のＳ２０〜Ｓ２３、図１５のＳ１〜Ｓ７、Ｓ９、図１８の５２、図１９のＳ６１の制御が、請求項５に該当する。図１８のＳ４３、図２０のＳ８６の制御が、請求項６に該当する。図１３のＳ２１０〜Ｓ２２１、図１５のＳ１〜Ｓ７、図１７のＳ２０〜Ｓ２３、図２１のＳ９１の制御が、請求項７に該当する。
【０１６６】
次に、以上説明した実施の形態における効果を以下に列挙する。
（１）  複数の島金庫３００の施錠手段の同時期の開錠（図１８のＳ４３でＹＥＳ）という、遊技場の係員による適正な貨幣回収作業のパターンから逸脱した疑わしい行為が監視されてその監視結果が報知され（図１８のＳ４９）、そのような盗難行為の疑いのある事態の発生を極力見逃さない貨幣収納システムを提供することができる。
【０１６７】
（２）  複数の島金庫３００の施錠手段の１つが開錠されてから所定時間内における次の施錠手段の開錠（図１８のＳ４８だＮＯ）が監視されて報知されるために（図１８のＳ４９）、遊技場の係員による適正な貨幣の回収作業に伴った複数の施錠手段の開錠のテンポに比べて早過ぎるテンポで施錠手段が順次開錠されるという、盗難行為の疑いのある事態の発生を極力見逃すことのない貨幣収納システムを提供することができる。
【０１６８】
（３）  複数の島金庫３００の施錠手段の開錠順序が、予め設定された開錠順序であること（図１８のＳ４４、Ｓ４５）が監視されてその監視結果が報知されるために（図１８のＳ４９）、遊技場の係員による適正な貨幣の回収作業に伴う開錠順序とは異なった開錠順序で開錠されるという、盗難行為の疑いのある事態の発生を極力見逃すことのない貨幣収納システムを提供することができる。
【０１６９】
（４）  複数の島金庫３００各々に対して同時期に開錠を許可するか否かの設定が、担当エリアＡＲ１〜ＡＲｎおよびその担当エリア内に属する島金庫を設定することにより行なわれ（図１２のＳ９００〜Ｓ９０７）、同時期の開錠が許可設定された島金庫３００（同一エリア内に属する島金庫３００）の施錠手段以外の施錠手段の同時期の開錠（図１８のＳ４３でＹＥＳ）という、盗難行為の疑いのある事態の発生を監視してその監視結果が報知されるために（図１８のＳ４９）、盗難行為の疑いのある事態の発生を極力見逃すことのない貨幣収納システムを提供することができる。しかも、たとえば、貨幣の回収作業の担当エリアを複数のエリアに区分けし、それぞれのエリアを各係員が一人ずつ担当して貨幣回収作業を行なう等の場合には、異なった担当エリアに属する貨幣収納装置の施錠手段同士では、同時期の開錠が行なわれる可能性があるが、そのような同時期の開錠の可能性のある貨幣収納装置各々に対して同時期の開錠の許可設定を行なうことができ、複数の係員による適正な貨幣の回収作業に伴って発生する同時期の開錠を貨幣の盗難行為の疑いのある異常事態と誤判定する不都合をも極力解消することができる。
【０１７０】
（５）  遊技場の係員が貨幣の回収作業を行なうに際して、当該係員の指紋データを有効化した上で（図１５のＳ１〜Ｓ１０）回収作業を開始し、回収作業が終了したときにその係員の指紋データを無効化することにより（図１８のＳ５２、図１９のＳ６０、Ｓ６１）、有効化された個人認証データがこれから適正に貨幣の回収作業を行なおうとする者のみに限定することができ、貨幣の盗難行為が非常に行ないにくい貨幣収納システムを提供することができる。
【０１７１】
（６）  複数の島金庫３００の施錠手段のうちの１つが開錠状態であるときに他の島金庫３００の施錠手段に対する開錠許可が行なわれないために（図２０のＳ７２、Ｓ７３）、複数の島金庫３００から急いで貨幣を盗難しようとする貨幣盗難者にとって盗難行為が行ないにくくなる貨幣収納システムを提供することができる。
【０１７２】
（７）  遊技場の係員が貨幣の回収作業を行なうに際して、当該係員の指紋データを有効化した上で（図１５のＳ１〜Ｓ１０）回収作業を開始し、回収作業が終了したときにその係員の指紋データを無効化することにより（図１８のＳ５２、図１９のＳ６０、Ｓ６１）、有効化された指紋データがこれから適正に貨幣の回収作業を行なおうとする者のみに限定することができ、貨幣の盗難行為が非常に行ないにくい貨幣収納システムを提供することができる。
【０１７３】
次に、以上説明した実施の形態における変形例や特徴点等を以下に列挙する。
（１）  前述の実施の形態では、遊技機設置島１０００に設置されている複数の台間機２１０から挿入された貨幣が島金庫３００一箇所に回収されるものを示したが、各台間機２１０自体に貨幣収納部（島金庫）を設け、係員（回収担当者）が各台間機２１０の貨幣収納部（島金庫）から貨幣を回収する作業を行なうようにしてもよい。
【０１７４】
（２）  前述の実施の形態では、同一エリア内における１つの島金庫の開錠時点から次の島金庫の開錠時点までの時間差が所定時間以上であるか否かに基づいて異常であるか否かを判別するようにしているが（図１８Ｓ４８参照）、それに代えて、１つの島金庫が施錠された時点から次の島金庫が開錠されるまでの時間が所定時間以上であるか否かにより、異常が発生したか否かを判別するようにしてもよい。
【０１７５】
（３）  前述の実施の形態では、遊技場４０００における１つのフロアを複数のエリアに区分することにより担当エリアＡＲ１、ＡＲ２、…ＡＲｎを設定するようにしているが、それに代えて、複数のフロアからなる遊技場においては、フロア毎に担当エリアを区分するようにしてもよい。たとえば、フロア１を担当エリアＡＲ１、フロア２を担当エリアＡＲ２のように区分する。
【０１７６】
（４）  前述の実施の形態で、生体認証（指紋、静脈、網膜、虹彩、顔、声紋等を用いた認証）を用いた本人認証を行なっているが、それに代えてまたはそれに加えて、各担当者に暗証番号を割り振り、その暗証番号を使用した本人認証を行なうようにしてもよい。
【０１７７】
（５）  前述の実施の形態では、個人認証データ（指紋情報等）を有効化したり無効化したりする方法として、登録されている個人認証データに対応する有効化フラグを「１」にしたり「０」にしたりする方法を採用したが、それに代えて、登録されている個人認証データを抹消することにより当該個人認証データを無効化し、個人認証データを再登録することにより当該個人認証データを有効化する方法を採用してもよい。その場合には、管理装置５００からの無効化情報を島金庫３００が受信したことにより、指紋情報データテーブルに登録されている指紋情報（個人認証データ）を抹消する一方、管理装置５００では、図１５のＳ７の有効化情報の送信に代えて、有効化する指紋情報（個人認証データ）を島金庫３００へ送信し、島金庫３００ではその送信されてきた指紋情報（個人認証データ）を指紋情報データテーブルに再登録する。
【０１７８】
（６）  前述の第２実施の形態において、管理装置５００では、同一エリア内において既に開錠状態となっている島金庫が存在する状態でさらに他の島金庫３００から認証成功通知を受信した場合には、異常と判別してチェック結果異常を管理装置３００へ返信するものを示したが、それに代えて、同一エリア内において既に開錠されている島金庫３００が存在する状態での他の島金庫からの認証成功通知の受信を受付けないようにしてもよい。その場合には、受付けないことによりいつまで経ってもチェック結果正常の信号が管理装置３００に返信されてくることがなく、管理装置３００側では、所定時間待ってもチェック結果正常信号が返信されてこなければ、開錠許可が行なわれなかったと判断して開錠処理を実行しないように制御する。
【０１７９】
（７）  遊技場に複数の監視カメラを設置し、管理装置５００における開錠チェック処理の結果何らかの異常が判別された場合にその異常であると判別された島金庫３００を監視カメラでズームアップして撮影し、その撮影画像を管理装置５００の表示部５３０で表示させるとともに記憶部５２０に画像を記憶させるようにしてもよい。
【０１８０】
（８）  前述の実施の形態では、同時開錠異常の監視機能、開錠間隔異常の監視機能、開錠順序異常の監視機能、および無効化個人認証データによる開錠異常の監視機能をすべて兼ね備えたものを示したが、これら各機能のうち、いずれか１つまたは任意の２つ以上の機能を有するものであってもよい。
【０１８１】
（９）  前述の実施の形態では、複数の島金庫３００をエリアＡＲ１、ＡＲ２・・・ＡＲｎ毎に区分して（図１参照）、各エリアに属する島金庫３００を入力設定し、任意の１つのエリアに属する島金庫３００同士の同時開錠を異常と判定し（図１２のＳ９００〜Ｓ９０２、Ｓ９０６、Ｓ９０７、図１８のＳ４３）、エリアの異なる島金庫３００同士の同時開錠は許容するものを示したが、それに代えて、同時開錠を許容する島金庫３００同士を端末ＩＤを入力することによって個別に設定できるようにしてもよい。具体的には、端末ＩＤとしてＭＢ００１〜ＭＢ０１９と、ＭＢ０２０〜ＭＢ０３９とを入力設定し、ＭＢ００１〜ＭＢ０１９の島金庫３００同士での同時開錠、または、ＭＢ０２０〜ＭＢ０３９の島金庫３００同士での同時開錠は異常判定するが、ＭＢ００１〜ＭＢ０１９の任意の１つとＭＢ０２０〜ＭＢ０３９の任意の１つとの同時開錠は許容するように制御する。
【０１８２】
（１０）  今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８３】
【図１】本実施の形態における貨幣収納システムの構成の一例を示す図である。
【図２】遊技機設置島の構成の一例を示す図である。
【図３】島金庫の内部構成の一例を示すブロック図である。
【図４】開錠状態の島金庫を示す図である。
【図５】本実施の形態における管理装置の内部構成の一例を示すブロック図である。
【図６】起動処理のフローチャートである。
【図７】一例としてのメイン画像を示す図である。
【図８】一例としての担当者登録画像を示す図である。
【図９】指紋情報登録処理のフローチャートである。
【図１０】一例としての指示画像を示す図である。
【図１１】一例としての指示画像を示す図である。
【図１２】管理装置で実行されるエリア分け／順番設定処理のフローチャートである。
【図１３】管理装置で実行される指紋情報送信処理および島金庫で実行される指紋情報受信処理のフローチャートである。
【図１４】管理装置の記憶部に記憶されているデータテーブルであり、（ａ）は担当者データテーブル、（ｂ）はエリアデータテーブルを示す図である。
【図１５】管理装置で実行される有効化送信処理および島金庫で実行される有効化受信処理を示すフローチャートである。
【図１６】島金庫に記憶されている指紋情報データテーブルを示す図である。
【図１７】島金庫により実行される認証処理Ｔのフローチャートである。
【図１８】管理装置により実行される開錠チェック処理のフローチャートである。
【図１９】島金庫により実行される無効化処理のフローチャートである。
【図２０】第２実施の形態を示し、（ａ）は認証処理Ｔ、（ｂ）は開錠チェック処理を示すフローチャートである。
【図２１】第３実施の形態における認証処理Ｔを示すフローチャートである。
【符号の説明】
【０１８４】
２００  遊技機、２１０  台間機、３００  島金庫、３１０  制御部、３２０  記憶部、３６０  通信部、５００  管理装置、５１０  制御部、５３０  表示部、５２０  記憶部、５２２  一時記憶部、６００  出社退社判定装置、１０００  遊技機設置島、３０００  管理事務所、４０００  遊技場、１００００  貨幣収納システム。
【図１】
2008099967.tif 000003
【図２】
2008099967.tif 000004
【図３】
2008099967.tif 000005
【図４】
2008099967.tif 000006
【図５】
2008099967.tif 000007
【図６】
2008099967.tif 000008
【図７】
2008099967.tif 000009
【図８】
2008099967.tif 000010
【図９】
2008099967.tif 000011
【図１０】
2008099967.tif 000012
【図１１】
2008099967.tif 000013
【図１２】
2008099967.tif 000014
【図１３】
2008099967.tif 000015
【図１４】
2008099967.tif 000016
【図１５】
2008099967.tif 000017
【図１６】
2008099967.tif 000018
【図１７】
2008099967.tif 000019
【図１８】
2008099967.tif 000020
【図１９】
2008099967.tif 000021
【図２０】
2008099967.tif 000022
【図２１】
2008099967.tif 000023